(57)【要約】【課題】紙葉類の処理に柔軟性を持たせる。【解決手段】紙幣処理装置１００は、紙幣を取り込むホッパ部２と、ホッパ部２から取り込まれた紙幣を集積する結束スタッカ４と、結束スタッカ４を開閉する扉４６と、ホッパ部２、結束スタッカ４及び扉４６を制御する制御部１２０とを備えている。制御部１２０は、一取引中に含まれる紙幣をホッパ部２から取り込み、取り込んだ紙幣のうち特定の種類の紙幣を結束スタッカ４に集積させ、結束スタッカ４に集積された紙幣の枚数が所定の集積枚数に達すると、該紙幣を次の処理へ移行させる一連の処理を行い、該一連の処理を紙幣の種類を変更して、複数の種類の紙幣に対して行い、一取引中は扉４６を閉じた状態で保持する一方、一の種類の紙幣に対して一連の処理が終了したときに集積枚数に達しない端数の紙幣が結束スタッカ４に残留している場合には一取引中であっても扉４６を開ける。【選択図】図６
2016091505.tif 000002
【特許請求の範囲】
【請求項１】
紙葉類の取引処理を実行する紙葉類処理装置であって、
紙葉類を取り込む取込部と、
前記取込部から取り込まれた紙葉類を集積する集積部と、
前記集積部を開閉する扉と、
前記取込部、前記集積部及び前記扉を制御する制御部とを備え、
前記制御部は、
一取引中に含まれる紙葉類を前記取込部から取り込み、取り込んだ紙葉類のうち特定の種類の紙葉類を前記集積部に集積させ、該集積部に集積された紙葉類の枚数が所定の集積枚数に達すると、該紙葉類を次の処理へ移行させる一連の処理を行い、
該一連の処理を紙葉類の種類を変更して、複数の種類の紙葉類に対して行い、
該一取引中は前記扉を閉じた状態で保持する一方、一の種類の紙葉類に対して前記一連の処理が終了したときに前記集積枚数に達しない端数の紙葉類が前記集積部に残留している場合には該一取引中であっても該扉を開ける又は開放可能とする紙葉類処理装置。
【請求項２】
請求項１に記載の紙葉類処理装置において、
ユーザが操作する操作部をさらに備え、
前記制御部は、端数の紙葉類の残留がユーザから前記操作部を介して入力されることによって、端数の紙葉類が残留していると判定することを特徴とする紙葉類処理装置。
【請求項３】
請求項１又は２に記載の紙葉類処理装置において、
前記集積部には、集積する紙葉類の種類が複数設定され、
前記制御部は、一の種類の端数の紙葉類が前記集積部に残留している場合には、前記扉を開ける又は開放可能として端数の紙葉類が該集積部から取り出された後、別の種類の紙葉類に対して前記一連の処理を実行することを特徴とする紙葉類処理装置。
【請求項４】
請求項３に記載の紙葉類処理装置において、
前記制御部は、前記集積部に集積する紙葉類の種類が設定されていない状態において紙葉類が前記取込部から取り込まれたときには、該取り込まれた紙葉類の種類を該集積部に集積する紙葉類の種類として設定することを特徴とする紙葉類処理装置。
【請求項５】
請求項４に記載の紙葉類処理装置において、
前記制御部は、前記集積部から紙葉類が抜き出された場合には、該集積部に設定された紙葉類の種類をリセットすることを特徴とする紙葉類処理装置。
【請求項６】
請求項３乃至５の何れか１つに記載の紙葉類処理装置において、
前記制御部は、端数の紙葉類が前記集積部から取り出された後に前記扉が閉じられることを、別の種類の紙葉類に対して前記一連の処理を開始するための少なくとも１つの条件としていることを特徴とする紙葉類処理装置。
【請求項７】
請求項３乃至６の何れか１つに記載の紙葉類処理装置において、
前記紙葉類は、紙幣であり、
前記集積部に設定される紙葉類の種類は、通貨種別、金種、正損、新旧、及び向きのうち少なくとも１つの属性によって特定されることを特徴とする紙葉類処理装置。
【請求項８】
請求項１乃至７の何れか１つに記載の紙葉類処理装置において、
紙葉類を結束する結束部をさらに備え、
前記次の処理は、前記結束部による結束処理であることを特徴とする紙葉類処理装置。
【請求項９】
請求項１乃至７の何れか１つに記載の紙葉類処理装置において、
前記次の処理は、紙葉類を前記集積部から取り出す取出処理であり、
前記制御部は、前記集積部に集積された紙葉類の枚数が前記集積枚数に達すると、前記扉を開ける又は開放可能として、ユーザが前記取出処理を行うことができる状態とすることを特徴とする紙葉類処理装置。
【請求項１０】
紙葉類の取引処理を実行する紙葉類処理方法であって、
一取引中に含まれる紙葉類を取り込む取込工程と、
前記取込工程で取り込んだ紙葉類のうち特定の種類の紙葉類を集積部に集積する集積工程と、
前記集積部に集積された紙葉類の枚数が所定の集積枚数に達すると、該紙葉類を次の処理へ移行させる移行工程と、
前記一取引中に含まれる前記特定の種類の紙葉類に対して、前記取込工程、前記集積工程及び前記移行工程の一連の処理が終了したときに前記集積枚数に達しない端数の紙葉類が前記集積部に残留しているか判定する残留判定工程とを含み、
前記取込工程、前記集積工程、前記移行工程及び前記残留判定工程は、紙葉類の種類を変更して、複数の種類の紙葉類に対して行われ、
前記残留判定工程では、端数の紙葉類が前記集積部に残留していると判定した場合には、前記集積部に設けられ一取引中は閉じた状態で保持される扉を該一取引中であっても開ける又は開放可能とすることを特徴とする紙葉類処理方法。
【発明の詳細な説明】
【技術分野】
【０００１】
ここに開示された技術は、紙葉類処理装置及び紙葉類処理方法に関するものである。
【背景技術】
【０００２】
特許文献１には、紙葉類を取り込み、集積して、結束する紙葉類処理装置が開示されている。この紙葉類処理装置は、紙葉類を集積する集積部を備えている。集積部には、集積部を開閉する扉が設けられている。扉を開けることによって、集積部に集積された紙葉類を取り出すことができる。
【先行技術文献】
【特許文献】
【０００３】
【特許文献１】国際公開第２０１４／１４７９９９号
【発明の概要】
【発明が解決しようとする課題】
【０００４】
ところで、このような集積部を備えた紙葉類処理装置において、処理の途中で集積部から紙葉類が抜き出されてしまうと、集積部に紙葉類を集積する集積工程や集積後の紙葉類に次に実施される次工程において不具合が生じたり、集計結果と実際の紙葉類の枚数とが不一致となったりする虞がある。そこで、顧客からの紙葉類を取り込み、その集計結果が確定するまでの一取引中は、集積部の扉は閉じた状態で保持される。
【０００５】
しかしながら、このような構成においては、エラー等が発生しない限り、一取引が終了するまでは集積部の扉が開かれない。そのため、紙葉類の処理内容が限定され、融通が利かない。
【０００６】
ここに開示された技術は、かかる点に鑑みてなされたものであり、その目的とするところは、紙葉類の処理に柔軟性を持たせることにある。
【課題を解決するための手段】
【０００７】
ここに開示された技術は、紙葉類の取引処理を実行する紙葉類処理装置であって、紙葉類を取り込む取込部と、前記取込部から取り込まれた紙葉類を集積する集積部と、前記集積部を開閉する扉と、前記取込部、前記集積部及び前記扉を制御する制御部とを備え、前記制御部は、一取引中に含まれる紙葉類を前記取込部から取り込み、取り込んだ紙葉類のうち特定の種類の紙葉類を前記集積部に集積させ、該集積部に集積された紙葉類の枚数が所定の集積枚数に達すると、該紙葉類を次の処理へ移行させる一連の処理を行い、該一連の処理を紙葉類の種類を変更して、複数の種類の紙葉類に対して行い、該一取引中は前記扉を閉じた状態で保持する一方、一の種類の紙葉類に対して前記一連の処理が終了したときに前記集積枚数に達しない端数の紙葉類が前記集積部に残留している場合には該一取引中であっても該扉を開ける又は開放可能とする。
【０００８】
この構成によれば、取込部から取り込んだ紙葉類のうち特定の種類の紙葉類を集積部に集積させ、その枚数が集積枚数に達すると該紙葉類を次の処理へ移行させるという一連の処理が、紙葉類の種類を変更して行われる。このとき、集積部の扉は、基本的には、一取引中は閉じられた状態で保持される。ただし、一連の処理が終了したときに集積部に端数の紙葉類が残留しているときには、一取引中であっても、扉が開けられるか、又は開放可能な状態となる。
【０００９】
詳しくは、集積部に集積された紙葉類の枚数が集積枚数に達しない場合には、その紙葉類は次の処理に移行されない。そのため、一の種類の紙葉類について一連の処理が終了しても、集積部には該一の種類の端数の紙葉類が残留している場合があり、別の種類の紙葉類に対する一連の処理を該集積部を利用して実行することができない。それに対し、一の種類の紙葉類に対して一連の処理が終了したときに扉を開ける又は開放可能とすることによって端数の紙葉類を集積部から取り出すことができるので、該集積部を利用して、別の種類の紙葉類に対する一連の処理を実行することができる。
【００１０】
このように、一取引を確定させなくても集積部の扉を開けることができるようにすることによって、紙葉類の種類を変更して、複数の種類の紙葉類に対して一連の処理を行うことができる。その結果、紙葉類の処理に柔軟性を持たせることができる。
【００１１】
また、紙葉類処理装置は、ユーザが操作する操作部をさらに備え、前記制御部は、端数の紙葉類の残留がユーザから前記操作部を介して入力されることによって、端数の紙葉類が残留していると判定するようにしてもよい。
【００１２】
この構成によれば、端数の紙葉類の判定がユーザに委ねられるので、制御部での処理を簡単にすることができる。つまり、特定の種類の紙葉類に対して一連の処理を実行している際に、該特定の種類の紙葉類がもう集積部に搬送されないことが確定して初めて、集積部に集積された紙葉類が端数の紙葉類であると判定することができる。端数の紙葉類の判定を制御部で行うためには、特定の種類の紙葉類がもう集積部に搬送されないことを制御部が判定する必要がある。しかしながら、特定の種類の紙葉類がもう集積部に搬送されないことの判断は、紙葉類処理装置の使い方によって様々であり、制御部で判定することは難しい。例えば、一取引中に含まれる紙葉類を分けて取込部から取り込む場合には、分けられた一部の紙葉類の取込部からの取り込みが終了しても、追加の紙葉類の取り込みがあるため、紙葉類の取り込みが途切れたからといって、特定の種類の紙葉類がもう集積部に搬送されないと判定することはできない。また、紙葉類の取り込み、集積、次の処理への移行を１回行った後に、特定の種類の紙葉類として識別されずに集積部に集積されなかった紙葉類をもう一度取り込みからやり直して、特定の種類の紙葉類の漏れを確認する場合もあり得る。このような場合には、全ての紙葉類の取り込みが終了したとしても、紙葉類の再度の取り込みがあるかもしれないので、特定の種類の紙葉類がもう集積部に搬送されないと判定することはできない。
【００１３】
そこで、制御部にいくつもの判定条件を判定させることによって、特定の種類の紙葉類がもう集積部に搬送されないことを判定させることはできるかもしれない。しかしながら、そのような構成では、制御部の制御が煩雑になってしまう。
【００１４】
それに対し、実際に紙葉類処理装置を使用しているユーザ自身は、特定の種類の紙葉類がもう集積部に搬送されないと容易に判定することができる。そこで、端数の紙葉類の判定をユーザに委ねて、端数の紙葉類の残留がユーザから操作部を介して入力されることをもって、制御部が端数の紙葉類が残留していると判定するようにする。こうすることで、制御部の制御を簡単にすることができる。
【００１５】
さらに、前記集積部には、集積する紙葉類の種類が複数設定され、前記制御部は、一の種類の端数の紙葉類が前記集積部に残留している場合には、前記扉を開ける又は開放可能として端数の紙葉類が該集積部から取り出された後、別の種類の紙葉類に対して前記一連の処理を実行するようにしてもよい。
【００１６】
この構成によれば、一連の処理を行う紙葉類の種類を複数設定することができる。そして、一の種類の紙葉類が集積部に端数として残留している場合には、制御部は、集積部の扉を開ける又は開放可能な状態とし、端数の紙葉類が抜き取られた後に、別の種類の紙葉類に対する一連の処理を実行する。こうして、複数の種類の紙葉類に対して一連の処理が順次行われ、紙葉類の種類が切り替わるときには集積部に残留している端数の紙葉類が抜き取られるので、複数種類の紙葉類が混合してしまうことが防止される。
【００１７】
さらに、前記制御部は、前記集積部に集積する紙葉類の種類が設定されていない状態において紙葉類が前記取込部から取り込まれたときには、該取り込まれた紙葉類の種類を該集積部に集積する紙葉類の種類として設定するようにしてもよい。
【００１８】
すなわち、集積する紙葉類の種類を予め設定しておかなくても、取込部から取り込まれた紙葉類の種類を、集積部に集積する紙葉類の種類として制御部が自動的に設定する。具体的には、集積部に集積する紙葉類の種類が設定されていない状態において取込部から取り込まれた紙葉類の種類を、制御部は、集積する紙葉類の種類として集積部に設定し、その種類の紙葉類を集積部に集積していく。一方、集積部に集積する紙葉類の種類が設定されている状態においては、取込部から紙葉類が取り込まれたとしても、制御部は、その紙葉類の種類を集積部に集積する紙葉類の種類としては設定しない。これにより、集積する紙葉類の種類を設定するというユーザの手間を省略することができる。
【００１９】
また、前記制御部は、前記集積部から紙葉類が抜き出された場合には、該集積部に設定された紙葉類の種類をリセットするようにしてもよい。
【００２０】
この構成によれば、集積部から紙葉類が抜き出される度に、集積部に集積する紙葉類の種類が設定し直されることになる。
【００２１】
さらに、前記制御部は、端数の紙葉類が前記集積部から取り出された後に前記扉が閉じられることを、別の種類の紙葉類に対して前記一連の処理を開始するための少なくとも１つの条件としていてもよい。
【００２２】
この構成によれば、端数の紙葉類が発生したときには、集積部の扉を開けることができるようにするものの、その後は、扉が閉じられない限り一連の処理が開始されないので、扉を閉じた状態で一連の処理を実行することができる。
【００２３】
また、前記紙葉類は、紙幣であり、前記集積部に設定される紙葉類の種類は、通貨種別、金種、正損、新旧、及び向きのうち少なくとも１つの属性によって特定されてもよい。
【００２４】
また、紙葉類処理装置は、紙葉類を結束する結束部をさらに備え、前記次の処理は、前記結束部による結束処理であってもよい。
【００２５】
この構成によれば、紙葉類の取り込み、集積、結束処理への移行という一連の処理が紙葉類の種類ごとに行われる。そして、一の種類の紙葉類に対する一連の処理が終了したときに、集積枚数に届かず、結束処理に至らなかった紙葉類は、集積部の扉が開かれることにより取り出しが可能となる。こうして、一取引が確定しなくても、結束処理に至らなかった端数の紙葉類を集積部から取り出すことができる。
【００２６】
あるいは、前記次の処理は、紙葉類を前記集積部から取り出す取出処理であり、前記制御部は、前記集積部に集積された紙葉類の枚数が前記集積枚数に達すると、前記扉を開ける又は開放可能として、ユーザが前記取出処理を行うことができる状態とするようにしてもよい。
【００２７】
この構成によれば、紙葉類処理装置は、特定の種類の紙葉類を集積枚数ごとに小分けすることができる。つまり、紙葉類処理装置は、取込部から紙葉類を取り込み、その中から特定の種類の紙葉類を集積部に集積させ、集積された紙葉類が集積枚数に達すると、扉を開ける又は開放可能として、該紙葉類をユーザに取り出させる。こうすることによって、ユーザは、特定の種類の紙葉類を集積枚数ごとに分けて集めることができる。こうした紙葉類の取り込み、集積、取出処理への移行という一連の処理が紙葉類の種類ごとに行われる。そして、一の種類の紙葉類に対する一連の処理が終了したときに、集積枚数に届かず、取出処理に至らなかった紙葉類は、集積部の扉が開かれることにより取り出しが可能となる。こうして、一取引が確定しなくても、取出処理に至らなかった、端数の紙葉類を集積部から取り出すことができる。
【００２８】
また、ここに開示された技術は、紙葉類の取引処理を実行する紙葉類処理方法であって、一取引中に含まれる紙葉類を取り込む取込工程と、前記取込工程で取り込んだ紙葉類のうち特定の種類の紙葉類を集積部に集積する集積工程と、前記集積部に集積された紙葉類の枚数が所定の集積枚数に達すると、該紙葉類を次の処理へ移行させる移行工程と、前記一取引中に含まれる前記特定の種類の紙葉類に対して、前記取込工程、前記集積工程及び前記移行工程の一連の処理が終了したときに前記集積枚数に達しない端数の紙葉類が前記集積部に残留しているか判定する残留判定工程とを含み、前記取込工程、前記集積工程、前記移行工程及び前記残留判定工程は、紙葉類の種類を変更して、複数の種類の紙葉類に対して行われ、前記残留判定工程では、端数の紙葉類が前記集積部に残留していると判定した場合には、前記集積部に設けられ一取引中は閉じた状態で保持される扉を該一取引中であっても開ける又は開放可能とする。
【００２９】
この方法によれば、取込工程で取り込んだ紙葉類のうち特定の種類の紙葉類を集積部に集積させ、その枚数が集積枚数に達すると該紙葉類を次の処理へ移行させるという一連の処理が、紙葉類の種類を変更して行われる。このとき、集積部の扉は、基本的には、一取引中は閉じられた状態で保持される。ただし、一連の処理が終了し、残留判定工程において端数の紙葉類が残留していると判定されたときには、一取引中であっても、扉が開けられるか、又は開放可能な状態となる。
【００３０】
詳しくは、集積部に集積された紙葉類の枚数が集積枚数に達しない場合には、その紙葉類は集積部に集積されたままとなる。そのため、一の種類の紙葉類について一連の処理が終了しても、集積部には該一の種類の端数の紙葉類が残留している場合があり、別の種類の紙葉類に対する一連の処理を該集積部を利用して実行することができない。それに対し、一の種類の紙葉類に対して一連の処理が終了したときに扉を開ける又は開放可能とすることによって端数の紙葉類を集積部から取り出すことができるので、該集積部を利用して、別の種類の紙葉類に対する一連の処理を実行することができる。
【００３１】
このように、一取引を確定させなくても集積部の扉を開けることができるようにすることによって、紙葉類の種類を変更して、複数の種類の紙葉類に対して一連の処理を行うことができる。その結果、紙葉類の処理に柔軟性を持たせることができる。
【発明の効果】
【００３２】
前記紙葉類処理装置によれば、紙葉類の処理に柔軟性を持たせることができる。
【００３３】
前記紙葉類処理方法によれば、紙葉類の処理に柔軟性を持たせることができる。
【図面の簡単な説明】
【００３４】
【図１】紙幣処理装置の外観図である。
【図２】紙幣処理装置の概略構成図である。
【図３】結束スタッカ及び結束部の概略構成図である。
【図４】結束スタッカの一部を省略した概略平面図である。
【図５】紙幣処理装置の概略構成を示すブロック図である。
【図６】結束処理のフローチャートである。
【図７】分割処理のフローチャートである。
【図８】その他の実施形態に係る紙幣処理装置の概略構成を示すブロック図である。
【発明を実施するための形態】
【００３５】
以下、例示的な実施形態を図面に基づいて詳細に説明する。
【００３６】
〈紙幣処理装置の概略構成〉
図１は、紙幣処理装置１００の外観図を示し、図２は、紙幣処理装置１００の概略構成図を示す。
【００３７】
紙幣処理装置１００は、例えば銀行のテラーカウンタに設置され、オペレータによって使用される。紙幣処理装置１００は、バラ状態の紙幣を取り込み、所定の種類の紙幣を集積し、該紙幣を所定の結束枚数で結束して投出する。紙幣処理装置１００は、紙葉類処理装置の一例であり、紙幣は、紙葉類の一例である。
【００３８】
紙幣処理装置１００は、紙幣が載置され、該紙幣を取り込むホッパ部２と、紙幣を識別する識別部３と、結束対象の紙幣を集積する結束スタッカ４と、結束対象でない紙幣を集積する非結束スタッカ５と、リジェクト紙幣を集積するリジェクトスタッカ６と、紙幣を結束する結束部９と、結束された紙幣（以下、「結束紙幣」という）を投出する投出部１１と、ホッパ部２から取り込まれた紙幣を、識別部３、結束スタッカ４、非結束スタッカ５及びリジェクトスタッカ６に搬送する第１搬送部７と、結束スタッカ４に集積された紙幣を結束部９まで搬送する第２搬送部８と、結束紙幣を投出部１１まで搬送する第３搬送部１０と、識別部３、結束スタッカ４、非結束スタッカ５、リジェクトスタッカ６、第１搬送部７、第２搬送部８、結束部９、第３搬送部１０及び投出部１１を収容する箱状の筐体１２とを備えている。
【００３９】
筐体１２は、上面１２１と、下面１２２と４つの側面とを有している。筐体１２の４つの側面のうちの１つの側面である第１側面１２３には、ホッパ部２及び投出部１１が設けられている。また、別の側面である第２側面１２４には、詳しくは後述する結束スタッカ４の第１取出口４１３及び非結束スタッカ５の第２取出口５３が設けられている。第１側面１２３と第２側面１２４とは、隣接している。
【００４０】
筐体１２の内部は、紙幣の識別及び分類に関する処理を行う第１処理部１２６と、結束対象の紙幣の結束に関する処理を行う第２処理部１２７とに別れている。第２処理部１２７は、第１処理部１２６の上方に設けられている。第１処理部１２６には、ホッパ部２、識別部３、非結束スタッカ５及びリジェクトスタッカ６が含まれる。第２処理部１２７には、結束スタッカ４、第２搬送部８、結束部９及び第３搬送部１０が含まれる。第１搬送部７の大部分は、第１処理部１２６に含まれている。
【００４１】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。結束対象の紙幣として集積する紙幣は、適宜設定することができる。結束スタッカ４は、集積部の一例である。
【００４２】
第１及び第２結束スタッカ４Ａ，４Ｂは、第２処理部１２７内において実質的に上下方向に並んで配置されている。第１結束スタッカ４Ａは、第２結束スタッカ４Ｂの上方に位置している。第１結束スタッカ４Ａと第２結束スタッカ４Ｂとは、同様の構成をしている。２つのスタッカを区別しないときには、単に「結束スタッカ４」と称する。結束スタッカ４の詳細な構成については後述する。
【００４３】
非結束スタッカ５は、第１及び第２非結束スタッカ５Ａ，５Ｂの２つのスタッカを含んでいる。第１及び第２非結束スタッカ５Ａ，５Ｂは、第１処理部１２６内において実質的に水平方向に並んで配置されている。２つのスタッカを区別しないときには、単に「非結束スタッカ５」と称する。非結束スタッカ５の詳細な構成については後述する。非結束スタッカ５に集積する紙幣は適宜設定することができる。
【００４４】
リジェクトスタッカ６は、リジェクト紙幣を集積する。リジェクトスタッカ６は、第１及び第２非結束スタッカ５Ａ，５Ｂよりもホッパ部２に近接している。リジェクトスタッカ６の詳細な構成については後述する。リジェクトスタッカ６に集積する紙幣は適宜設定することができる。
【００４５】
ホッパ部２は、第１側面１２３のうち第１処理部１２６に対応する部分に設けられている。ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣が短手方向に取り込まれていくように、紙幣がホッパ部２に載置される。ホッパ部２は、取込部の一例である。
【００４６】
紙幣センサ２５は、取込口２４の近傍に設けられている。紙幣センサ２５は、光を送信する送信部と光を受信する受信部とを有し、送信部から出射されて受信部に到達する光が遮断されることによって紙幣を検知する。紙幣センサ２５は、載置台２１上に載置された紙幣により光が遮断されるように配置されている。つまり、紙幣センサ２５は、光が遮断されることによって、載置台２１上に紙幣が載置されていることを検知することができる。尚、後述する第１紙幣センサ４１１、第２紙幣センサ４１２、集積センサ５２、集積センサ６２、通過センサ７４、第１テープセンサ９２１０及び第２テープセンサ９２１１も同様の構成をしている。
【００４７】
投出部１１は、第１側面１２３のうち第２処理部１２７に対応する部分に設けられている。投出部１１は、結束紙幣をホッパ部２の上方の受取位置において受け取って、該結束紙幣を受取位置から側方へずれた投出位置へスライドさせて投出口１１１から筐体１２外へ投出する。投出部１１は、該結束紙幣をその短手方向へ投出口１１１から投出する。
【００４８】
第１搬送部７は、搬送ベルト等で構成されている。第１搬送部７は、主搬送路７１と、主搬送路７１から分岐する第１〜第４分岐路７２ａ〜７２ｄと、主搬送路７１からの分岐箇所に設けられた振り分け機構７３と、紙幣の通過を検知する複数の通過センサ７４とを有している。第１搬送部７は、紙幣をその短手方向に搬送していく。
【００４９】
主搬送路７１は、取込ローラ２３から第１結束スタッカ４Ａまで延びている。第１分岐路７２ａは、主搬送路７１の最も上流側に位置しており、第１分岐路７２ａから下流側に向かって、第２分岐路７２ｂ、第３分岐路７２ｃ、第４分岐路７２ｄがこの順で位置している。第１〜第４分岐路７２ａ〜７２ｄのそれぞれを区別しないときには、単に分岐路７２と称する。第１分岐路７２ａは、リジェクトスタッカ６まで延びている。第２分岐路７２ｂは、第２非結束スタッカ５Ｂまで延びている。第３分岐路７２ｃは、第１非結束スタッカ５Ａまで延びている。第４分岐路７２ｄは、第２結束スタッカ４Ｂまで延びている。
【００５０】
振り分け機構７３は、ソレノイド（図示省略）によって駆動される。振り分け機構７３は、主搬送路７１を搬送された紙幣を分岐路７２へ分岐させるか否かを振り分ける。各振り分け機構７３の上流側には、通過センサ７４が設けられている。通過センサ７４は、紙幣センサ２５と同様の構成をしている。つまり、通過センサ７４の受信部における光の受信が中断され、その後に光の受信が再開されたことをもって、紙幣の通過を検知することができる。振り分け機構７３は、紙幣を分岐路７２へ導く際には、その直上流の通過センサ７４が紙幣の通過を検知したことをもって作動する。
【００５１】
識別部３は、主搬送路７１のうち第１分岐路７２ａよりも上流側に設けられている。識別部３は、搬送される紙幣の一枚一枚について、その通貨種別、金種、正損、新旧（版数）、及び向き（紙幣の表、裏並びに文字及び絵の上下）を識別するように構成されている。具体的には、識別部３は、ラインセンサ３１及び磁気センサ３２を有し、紙幣の特徴を取得する。識別部３は、紙幣の特徴が、記憶している各種紙幣の特徴と一致するかを判定し、通貨種別、金種、正損、新旧、及び向きを識別する。
【００５２】
結束部９は、集積された紙幣を結束する。詳しくは後述するが、結束部９は、テープ輪Ｌを作成し、該テープ輪Ｌの中へ紙幣が搬送された後にテープを引き戻し、紙幣をテープで結束する。
【００５３】
第２搬送部８は、結束スタッカ４に集積された紙幣を把持して、該紙幣をテープ輪Ｌの中へ搬送する。第２搬送部８は、紙幣を把持する把持ユニット８１と、把持ユニット８１を水平方向であって且つ紙幣の短手方向（以下、「第１水平方向」という）へ移動させる第１水平移動機構と、把持ユニット８１を水平方向であって且つ紙幣の長手方向（以下、「第２水平方向」という）へ移動させる第２水平移動機構と、把持ユニット８１を上下方向へ移動させる上下移動機構とを有している。
【００５４】
把持ユニット８１は、上アーム部８１ａと、上アーム部８１ａと相対向する下アーム部８１ｂと、上アーム部８１ａを上下方向へ移動させる把持機構とを有している。上アーム部８１ａは、互いに平行に延びる３本の指部を有している。同様に、下アーム部８１ｂは、互いに平行に延びる３本の指部を有している。把持機構は、上アーム部８１ａを上下方向に移動可能に支持すると共に、モータ及び駆動ベルトによって上アーム部８１ａを上下に移動させる。これにより、上アーム部８１ａと下アーム部８１ｂとで紙幣を把持することができる。
【００５５】
第１水平移動機構は、把持ユニット８１を第１水平方向に移動可能に支持しており、モータ及び駆動ベルトによって把持ユニット８１を第１水平方向に移動させる。上下移動機構は、第１水平移動機構を上下方向に移動可能に支持しており、モータ及び駆動ベルトによって第１水平移動機構を上下方向に移動させる。第２水平移動機構は、上下移動機構を第２水平方向に移動可能に支持しており、モータ及び駆動ベルトによって上下移動機構を第２水平方向に移動させる。
【００５６】
このように、把持ユニット８１は、第１水平移動機構、第２水平移動機構及び上下移動機構によって直交する３軸に沿った方向に移動可能に構成されている。
【００５７】
第３搬送部１０は、第２搬送部８から結束紙幣を受け取って投出部１１まで搬送する。第３搬送部１０は、上把持部１０１と、下把持部１０２と、上把持部１０１及び下把持部１０２を第１水平方向へ移動させる水平移動機構とを有している。
【００５８】
水平移動機構は、上把持部１０１を第１水平方向へ移動させる際に上把持部１０１を上下方向にも移動させる。詳しくは、第３搬送部１０は、結束部９の側方を第１水平方向へ通過するように構成されている。第３搬送部１０は、結束スタッカ４側から投出部１１側へ第１水平方向に移動する途中で、第２搬送部８が支持する結束紙幣を受け取る。上把持部１０１は、結束スタッカ４寄りに位置するときには、下把持部１０２から上方へ十分に離間している。上把持部１０１は、この位置から投出部１１側へ移動するにつれて下方へ移動し、第２搬送部８が支持する結束紙幣に到達したときには上把持部１０１と下把持部１０２とで結束紙幣を把持した状態となる。上把持部１０１及び下把持部１０２は、結束紙幣を把持した状態で結束紙幣を投出部１１近傍まで搬送する。上把持部１０１は、投出部１１の近傍において、投出部１１へ近づくにつれて上方へ移動する。その結果、上把持部１０１と下把持部１０２とで把持された結束紙幣は、投出部１１において上把持部１０１及び下把持部１０２による把持が解除され、投出部１１へ投出される。
【００５９】
筐体１２の第２側面１２４には、図１に示すように、紙幣処理装置１００への情報を入力する操作部であり且つ紙幣処理装置１００の情報を表示する表示部であるタッチパネル１７が設けられている。タッチパネル１７は、紙幣処理装置１００を操作するオペレータに対するヒューマンインターフェース部分である。タッチパネル１７は、操作部の一例である。
【００６０】
〈結束スタッカ４の構成〉
図３に、結束スタッカ４及び結束部９の概略構成図を示す。図４に、結束スタッカ４の一部を省略した概略平面図を示す。
【００６１】
結束スタッカ４は、第１搬送部７を介して搬送されてきた紙幣Ｂを上下方向に積み重ねて集積する。紙幣Ｂは、一方の長辺を前側にして、その短手方向に搬送され、結束スタッカ４内へ入ってくる。結束スタッカ４は、紙幣Ｂが載置されるステージ４１と、紙幣Ｂの搬送方向前側の長辺を揃えるためのガイド４２と、紙幣Ｂの搬送方向後側の長辺と対向する後壁４３と、結束スタッカ４の天井４５と、結束スタッカ４を開放する扉４６（図１参照）と、扉４６の内側に設けられ、紙幣Ｂの一方の短辺と対向する位置決め部４７（図１参照）と、集積された紙幣の短辺を揃える整列機構４９（図４参照）と、搬送されてきた紙幣Ｂの結束スタッカ４への落下を促進する羽根車４１０と、結束スタッカ４内の紙幣Ｂの存在を検知する第１紙幣センサ４１１と、結束スタッカ４内の所定高さの紙幣Ｂを検知する第２紙幣センサ４１２とを有している。以下の説明では、説明の便宜上、紙幣Ｂのうち位置決め部４７と対向する短辺を「第１辺ｂ１」、搬送方向前側の長辺を「第２辺ｂ２」、第１辺ｂ１と反対側の短辺を「第３辺ｂ３」、搬送方向後側の長辺を「第４辺ｂ４」と称する（図４参照）。
【００６２】
ステージ４１は、紙幣Ｂの重なり方向である上下方向に移動可能に構成されている。ステージ４１は、紙幣Ｂの集積量に応じて移動する。ステージ４１は、櫛歯状に形成されており、ステージ４１上の紙幣Ｂを把持ユニット８１が把持する際に、上アーム部８１ａ及び下アーム部８１ｂがステージ４１と干渉しないようになっている。
【００６３】
ガイド４２は、結束スタッカ４内に搬送されてきた紙幣Ｂの搬送方向への移動を停止させ、該紙幣Ｂをステージ４１上に落下させる。ステージ４１上に落下した紙幣は、第２辺ｂ２がガイド４２と対向し、第４辺ｂ４が後壁４３と対向している。詳しくは、ガイド４２は、上側ガイドと下側ガイドとを有し、上下に分割されている。上側ガイド及び下側ガイドは、搬送方向へ一体的に移動可能に構成されている。ガイド４２は、集積する紙幣Ｂの寸法に応じて搬送方向の位置が調整される。また、上側ガイドは、紙幣Ｂの搬送方向及び集積方向の両方に直交する方向（以下、「幅方向」という）に延びる軸回りに回転可能に支持されている。上側ガイドは、バネにより前記軸回りに付勢され、通常は、上側ガイドの先端部が下側ガイドの先端部に接触している。こうして、上側ガイドと下側ガイドとで、結束スタッカ４における搬送方向前側の壁を形成している。一方、紙幣Ｂが把持ユニット８１によって結束スタッカ４から引き抜かれるときには、上側ガイドは、バネの付勢力に抗して搬送方向前側へ回転し、結束スタッカ４を搬送方向前側に開口させる。
【００６４】
また、上側ガイド及び下側ガイドは、櫛歯状に形成されている。上側ガイドの櫛歯と下側ガイドの櫛歯とによって、ガイド４２には、上下に延びる複数のスリットが形成される。把持ユニット８１の上アーム部８１ａ及び下アーム部８１ｂは、このスリットを介して、搬送方向前側から結束スタッカ４内に進入することができる。
【００６５】
羽根車４１０は、可撓性を有する複数の羽を有しており、結束スタッカ４へ搬送されてきた紙幣の、搬送方向後側の端部を叩いて、紙幣の落下を促進する役割を有している。これにより、紙幣が結束スタッカ４内に連続的に搬入される場合であっても、後の紙幣が先の紙幣の後端部に入り込むことを防止し、紙幣を１枚ずつ順に上から積み重ねていくことができる。
【００６６】
扉４６は、ステージ４１上の紙幣Ｂの第１辺ｂ１側に設けられている。詳しくは、結束スタッカ４において幅方向の端部には、概ね方形のフレーム４６ａが設けられている。フレーム４６ａには、概ね方形の第１取出口４１３が形成されている。
【００６７】
扉４６は、フレーム４６ａの一辺に設けられた回転軸回りに回転自在に取り付けられている。扉４６は、第１取出口４１３を開放する開状態と第１取出口４１３を閉鎖する閉状態との間で回転する。扉４６は、板バネ（図示省略）と扉４６の回転軸に設けられたネジリバネ（図示省略）によって、開状態となる方向に付勢されている。つまり、ネジリバネ及び板バネは、扉４６が閉状態であるときには、弾性変形して扉４６を開状態となる方向へ付勢する付勢力を発生させている。扉４６は、外部から内部を目視可能な材料で構成されている。例えば、扉４６は、透明又は半透明な材料（例えば、ガラスや樹脂）で構成されている。
【００６８】
また、扉４６には、ロック機構４６ｃが設けられている。ロック機構４６ｃは、扉４６を閉状態に拘束する拘束状態と、扉４６を開閉自在にする解除状態との間で切換可能に構成されている。具体的には、ロック機構４６ｃは、フレーム４６ａに設けられたピン４６ｄと、ピン４６ｄを駆動するソレノイド等を含む駆動機構４６ｅと、扉４６に設けられ、ピン４６ｄが係合する被係合部４６ｆとを有している。ロック機構４６ｃは、制御部１２０により、結束スタッカ４ごとに個別に制御される。つまり、扉４６は、個別に開閉可能となる。
【００６９】
ロック機構４６ｃが解除されると、扉４６は、ネジリバネ及び板バネの付勢力により開状態となる。板バネは、扉４６による拘束が解除されるので、弾性変形が解消する方向へ復元（変形）する。結束スタッカ４には、この板バネの復元を検出することによって、扉４６が開状態であることを検出する扉センサ（図示省略）が設けられている。この扉センサは、フォトインタラプタで形成されている。扉センサは、フォトインタラプタの発光部からの光を、復元した板バネが遮るように構成されている。つまり、扉センサは、発光部からの光が遮光されることによって、扉４６が開状態であることを検出し、発光部からの光が受光部で受信されることによって、扉４６が閉状態であることを検出する。
【００７０】
扉４６の内側には、位置決め部４７が設けられている。位置決め部４７は、紙幣Ｂの第１辺ｂ１と接触することによって、第１辺ｂ１を所定の位置決め位置Ｐに位置決めする。位置決め部４７は、外部から内部を目視可能な材料で構成されている。例えば、位置決め部４７は、透明又は半透明な材料（例えば、ガラスや樹脂）で構成されている。
【００７１】
整列機構４９は、結束スタッカ４において、扉４６とは反対側に設けられている。つまり、整列機構４９は、結束スタッカ４内の紙幣Ｂのうち第３辺ｂ３と対向する位置に設けられている。整列機構４９は、紙幣Ｂの第３辺ｂ３を紙幣Ｂの長手方向に押して、紙幣Ｂの第１辺ｂ１を位置決め部４７に接触させる。こうして、位置決め部４７と整列機構４９とによって、紙幣Ｂの少なくとも第１辺ｂ１が揃えられる。整列機構４９は、紙幣Ｂの集積方向に延びる回転軸回りに回転自在に設けられたアーム４９ａと、アーム４９ａを回転させるステッピングモータ４９ｂとを有している。整列機構４９は、紙幣Ｂの第３辺ｂ３を扉４６に向けてアーム４９ａにより押圧することによって紙幣Ｂの第１辺ｂ１を位置決め部４７に接触させる。つまり、整列機構４９は、扉４６と協働して、紙幣Ｂの両短辺を揃える。こうすることによって、結束スタッカ４内の紙幣Ｂは、位置決め部４７に接触した状態に整列させられる。
【００７２】
アーム４９ａは、紙幣Ｂを位置決め部４７の方へ押し動かした後は、紙幣Ｂを移動させた後の場所（即ち、アーム４９ａと位置決め部４７との距離が、紙幣Ｂの長手方向寸法と略一致する位置）に留まり、紙幣Ｂの、長手方向における整列機構４９の方への移動を規制する規制部として機能する。
【００７３】
整列機構４９は、アーム４９ａの移動量を調整可能に構成されており、紙幣Ｂの種類及び位置決め部４７の種類に応じてアーム４９ａの移動量を調整する。具体的には、アーム４９ａと位置決め部４７との距離が集積対象となる紙幣Ｂの長手方向寸法と略一致する位置までアーム４９ａが回転するように、アーム４９ａの移動量が調整される。こうして、紙幣Ｂの第３辺ｂ３を押すときの整列機構４９の移動量は、紙幣Ｂの長手方向寸法及び位置決め部４７の位置決め位置Ｐに応じて調整される。
【００７４】
第１紙幣センサ４１１は、図３に示すように、光を送信する送信部４１１ａと、光を受信する受信部４１１ｂと、送信部４１１ａからの光を受信部４１１ｂの方へ案内するプリズム４１１ｃとを有している。送信部４１１ａ及び受信部４１１ｂは、天井４５において紙幣Ｂの搬送方向に並んで配置されている。プリズム４１１ｃは、結束スタッカ４の底に配置されている。プリズム４１１ｃは、入射部４１１ｄと、出射部４１１ｅと、２つの反射面とを有し、略Ｕ字状に形成されている。送信部４１１ａから送信された光は、入射部４１１ｄを介してプリズム４１１ｃに入射し、２つの反射面で反射され、出射部４１１ｅを介してプリズム４１１ｃから出射し、受信部４１１ｂに入射する。ステージ４１には、送信部４１１ａから入射部４１１ｄへ向かう光及び出射部４１１ｅから受信部４１１ｂへ向かう光が通過する孔が貫通形成されている。第１紙幣センサ４１１は、光が遮断されることによって、紙幣Ｂの存在を検知する。すなわち、ステージ４１上に紙幣Ｂが存在する場合には、送信部４１１ａから受信部４１１ｂへ向かう光が遮断される。このことによって、結束スタッカ４内に紙幣Ｂが存在することが検出される。
【００７５】
尚、結束スタッカ４には、２つの第１紙幣センサ４１１が設けられている。２つの第１紙幣センサ４１１は、紙幣Ｂの長手方向に並んで配置されている。
【００７６】
第２紙幣センサ４１２は、結束スタッカ４内において所定の高さに位置する紙幣Ｂを検知するように構成されている。第２紙幣センサ４１２は、紙幣センサ２５と同様の構成をしている。第２紙幣センサ４１２は、所定の高さ位置において、ステージ４１の表面と平行で且つ紙幣Ｂの長手方向に光を送信するように配置されている。図３においては、説明の便宜上、第２紙幣センサ４１２は、紙幣Ｂの短手方向に光を送信するように図示されている。第２紙幣センサ４１２は、前記所定の高さ位置よりも高い位置に紙幣Ｂが存在するときには、送信部から受信部に向かう光が該紙幣Ｂにより遮断される一方、紙幣Ｂが前記所定の高さ位置よりも高い位置に存在しないときには、送信部からの光が受信部に到達するように配置されている。
【００７７】
〈非結束スタッカ５の構成〉
非結束スタッカ５は、紙幣を積み重ねて集積する。非結束スタッカ５は、図２に示すように、紙幣を集積する容器５０と、搬送されてきた紙幣を容器５０内へ搬入する羽根車５１と、紙幣の有無を検知する集積センサ５２とを有している。
【００７８】
非結束スタッカ５の容器５０の底部は、傾斜している。これにより、容器５０へ搬入された紙幣は、底部の低い方の端部へ集まる。
【００７９】
集積センサ５２は、容器５０の底部の低い方の端部に設けられている。集積センサ５２は、紙幣センサ２５と同様の構成をしており、光が遮断されることによって容器５０内の紙幣を検知する。集積センサ５２は、容器５０内の紙幣により光が遮断されるように配置されている。
【００８０】
羽根車５１は、複数の羽を有しており、搬送されてきた紙幣を羽の間で保持して、容器５０内へ搬入する。紙幣は、容器５０の底部近傍において羽根車５１の羽から離脱し、容器５０内に集積される。
【００８１】
容器５０は、図１に示すように、筐体１２の第２側面１２４に開口している。すなわち、第２側面１２４には、非結束スタッカ５に集積された紙幣を筐体１２の外部に取り出すための第２取出口５３が設けられている。第２取出口５３には、扉が設けられておらず、開放されている。
【００８２】
また、非結束スタッカ５には、集積された紙幣を第２取出口５３の方へ押し出すための押出機構５４が設けられている。押出機構５４は、容器５０の奥側（第２取出口５３と反対側）に設けられており、奥側から手前側（第２取出口５３の側）に紙幣を押し出すように構成されている。
【００８３】
〈リジェクトスタッカ６の構成〉
リジェクトスタッカ６は、紙幣を積み重ねて集積する。リジェクトスタッカ６は、図２に示すように、紙幣を集積する容器６０と、搬送されてきた紙幣を容器６０内へ搬入する羽根車６１と、紙幣の有無を検知する集積センサ６２と、容器６０内の紙幣が外部へ排出されることを防止するストッパ６４，６４とを有している。
【００８４】
詳しくは、リジェクトスタッカ６の容器６０は、図１に示すように、筐体１２の第１側面１２３に開口している。すなわち、第１側面１２３には、リジェクトスタッカ６に集積された紙幣を筐体１２の外部に取り出すためのリジェクト取出口６３が設けられている。リジェクト取出口６３は、第１側面１２３において、取込口２４の上方に開口している。リジェクト取出口６３には、扉が設けられておらず、開放されている。
【００８５】
容器６０の底部は、第１側面１２３から離れるに従って下方に位置するように傾斜している。そのため、容器６０内の紙幣は、第１側面１２３から内側へ入り込んだ位置に集積されていく。これにより、容器６０内に搬入された紙幣が、そのまま第１側面１２３のリジェクト取出口６３から外部へ排出されることを防止することができる。
【００８６】
さらに、２つのストッパ６４，６４は、容器６０の底部のうち、第１側面１２３側の端縁に設けられている。ストッパ６４は、底部の第１側面１２３側の端縁と平行に延びる軸回りに回動自在に支持されると共に、付勢バネ（図示省略）で付勢されて、容器６０の底部に対して立ち上がった状態となっている。これらストッパ６４，６４によっても、容器６０内の紙幣が第１側面１２３のリジェクト取出口６３から外部へ排出されることを防止することができる。尚、リジェクトスタッカ６に集積された紙幣をリジェクト取出口６３から抜き出すときには、ストッパ６４，６４を付勢バネの弾性力に抗して倒すことによって、紙幣を抜き出すことができる。
【００８７】
羽根車６１は、可撓性を有する複数の羽を有しており、容器６０内に落下する紙幣の、搬送方向後側の端部を叩き落とす役割を有している。紙幣が容器６０内に連続的に搬入される場合であっても、後の紙幣が先の紙幣の後端部に入り込むことを防止し、紙幣を１枚ずつ順に上方に積み重ねていくことができる。
【００８８】
集積センサ６２は、紙幣センサ２５と同様の構成をしており、光が遮断されることによって容器６０内の紙幣を検知する。集積センサ６２は、容器６０内の紙幣により光が遮断されるように配置されている。
【００８９】
〈結束部９の構成〉
結束部９は、図３に示すように、テープＴを供給するテープ供給部９１と、テープＴでテープ輪Ｌを作成するテープ輪作成部９２と、第２搬送部８によってテープ輪Ｌの中へ搬送された紙幣を一時的に把持する一時把持部（図示省略）と、紙幣を前記テープＴで結束するときに該紙幣を集積方向に押圧するクランプ部９４と、テープＴを紙幣に巻き付けた状態でテープＴ同士を接合するヒータ９５と、テープＴを紙幣に巻き付けられていない位置で切断するカッタ９６と、テープＴに印刷する印刷部９７と、テープＴに押印する押印部９８とを有している。
【００９０】
テープ供給部９１は、テープＴがリールに巻き付けられたテープリール９１１と、テープリール９１１から引き出されるテープＴを搬送するテープ搬送部９１２とを有している。テープ搬送部９１２は、テープＴを所定の搬送経路に沿って搬送する。テープ搬送部９１２は、ガイド（図示省略）と複数のローラ対とを有している。
【００９１】
テープ輪作成部９２は、テープＴでテープ輪Ｌを作成し、集積された紙幣が該テープ輪Ｌの中に配置された後に該テープＴを引き戻して該テープＴを該紙幣に巻き付ける。テープ輪作成部９２は、テープＴの送り出し及び引き戻しを行う送り出しローラ対９２０と、テープＴの先端部を把持するテープ把持部９２１と、テープＴでテープ輪Ｌを作成する際にテープ輪Ｌの形状を規定するガイド部９２５と、テープＴの先端を検知する第１テープセンサ９２１０と、大テープ輪Ｌ２が作成されたことを検知する第２テープセンサ９２１１とを有している。テープ輪作成部９２は、テープ把持部９２１によりテープＴで小テープ輪を作成した後、送り出しローラ対９２０によりテープＴを送り出すことによって該小テープ輪を大きくして大テープ輪Ｌ２を作成する。その際、ガイド部９２５は、テープＴを案内して、大テープ輪Ｌ２の形を規定し、第２テープセンサ９２１１は、大テープ輪Ｌ２の形成を検知する。
【００９２】
送り出しローラ対９２０は、ステッピングモータにより駆動され、テープ輪Ｌを作成する際にテープＴを送り出す。送り出しローラ対９２０は、テープ搬送部９１２の下流端部に位置し、テープ搬送部９１２の一部も構成する。
【００９３】
また、テープリール９１１には、テープＴの巻き戻し方向にテープリール９１１を回転させるステッピングモータが設けられており、紙幣がテープ輪Ｔの中へ配置された後にテープＴを紙幣に巻き付ける際には、送り出しローラ対９２０及びテープリール９１１がテープＴを巻き戻す方向に回転する。
【００９４】
第１テープセンサ９２１０は、テープＴの搬送路中であって、送り出しローラ対９２０とテープ把持部９２１との間に設けられている。第１テープセンサ９２１０は、紙幣センサ２５と同様の構成をしている。第１テープセンサ９２１０は、光が遮断されることによってテープＴを検知する。例えば、送り出しローラ対９２０がテープＴを引き戻し、第１テープセンサ９２１０において光が遮断された状態から光が受信される状態となったことをもってテープＴの先端を検知することができる。
【００９５】
テープ把持部９２１は、送り出しローラ対９２０から送り出されるテープＴを受け取ることが可能な位置に配置されている。テープ把持部９２１は、詳細な図示は省略するが、送り出しローラ対９２０から送り出されたテープＴの先端部を把持した状態で回転することによってテープ輪Ｌを作成する。
【００９６】
ガイド部９２５は、大テープ輪Ｌ２を作成するときに、該大テープ輪Ｌ２の外周面に接触して該大テープ輪Ｌ２の形状を規定する。ガイド部９２５は、大テープ輪Ｌ２を略長方形状、詳しくは、角部が湾曲した長方形状に規定する。
【００９７】
ガイド部９２５は、大テープ輪Ｌ２の下側から大テープ輪Ｌ２の外周面に接触する下ガイド部９２６と、水平方向から大テープ輪Ｌ２の外周面に接触する第１側方ガイド部９２７及び第２側方ガイド部９２８と、長方形の４つの角部に対応する４つの第１〜第４コーナーガイド部９２９ａ〜９２９ｄとを有している。
【００９８】
下ガイド部９２６は、移動機構が設けられており、移動機構によって上下に移動可能に構成されている。この移動機構は、後述する下クランプ部９４３，９４４の移動機構と共通である。また、下ガイド部９２６には、押印部９８の後述するスタンプ９８１が貫通する貫通孔が設けられている。
【００９９】
第１側方ガイド部９２７は、下ガイド部９２６の長手方向の結束スタッカ４側の端部において上下方向に延びている。
【０１００】
第２側方ガイド部９２８は、下ガイド部９２６の長手方向の投出部１１側の端部において上下方向に延びている。第２側方ガイド部９２８は、支持部によって上下に移動可能に支持されると共に、リンクを介して下ガイド部９２６に連結されている。これにより、第２側方ガイド部９２８は、下ガイド部９２６の上昇に連動して上昇し、下ガイド部９２６の下降に連動して下降する。尚、第２側方ガイド部９２８の移動量は、リンクにより増幅されている。第２側方ガイド部９２８は、結束紙幣を搬送するときに、該結束紙幣の搬送を阻害しないように上方へ退避するように構成されている。
【０１０１】
第２テープセンサ９２１１は、紙幣センサ２５と同様の構成をし、光が遮断されることによってテープＴを検知する。第２テープセンサ９２１１の受信部は、図３に概念的に示すように、第４コーナーガイド部９２９ｄに取り付けられている。第２テープセンサ９２１１の送信部は、該送信部からの光が第４コーナーガイド部９２９ｄに案内されているテープＴによって遮断される位置に配置されている。つまり、第２テープセンサ９２１１は、送信部が光を送信しても受信部が光を受信しないことをもって、第４コーナーガイド部９２９ｄがテープＴを案内していること、即ち、テープ輪Ｌが所定の大きさになったことを検知する。
【０１０２】
一時把持部は、第２搬送部８によってテープ輪Ｌの中へ搬送された紙幣を一時的に把持する。一時把持部は、第２水平方向、即ち、テープ幅方向においてテープ輪Ｌに対して第２搬送部８とは反対側に設けられている。
【０１０３】
クランプ部９４は、紙幣を前記テープＴで結束するときに該紙幣を集積方向に押圧する。クランプ部９４は、紙幣のうち、テープＴで結束される結束予定部分の近傍部分を押圧する。クランプ部９４は、テープ輪Ｌの中へ搬送された紙幣の上方に設けられた上クランプ部と、該紙幣の下方に設けられた下クランプ部と、上クランプ部及び下クランプ部を上下に移動させる移動機構とを有している。ここで、下クランプ部は、ガイド部９２５の下ガイド部９２６と一体的に構成されている。つまり、下クランプ部９４３，９４４を上下に移動させる移動機構は、下ガイド部９２６の移動機構と共通であり、下クランプ部及び下ガイド部９２６は、一体的に上下に移動する。
【０１０４】
ヒータ９５は、テープＴを紙幣に巻き付けた状態でテープＴ同士を接合する。ヒータ９５は、テープＴ同士を熱溶着する。
【０１０５】
カッタ９６は、テープＴを紙幣に巻き付けられていない部分、即ち、テープＴのうち紙幣を結束して余った部分を切断する。カッタ９６の先端は、鋸歯状の切断刃が設けられている。
【０１０６】
ヒータ９５及びカッタ９６は、ユニット化されて、テープ輪Ｌの中へ配置される紙幣に対して押印部９８とは反対側、具体的には、紙幣の集積方向において押印部９８とは反対側に配置されている。より詳しくは、ヒータ９５及びカッタ９６は、テープ把持部９２１の上方に配置されている。ヒータ９５は、テープ把持部９２１上でテープＴを接合する。カッタ９６は、テープ把持部９２１上でテープＴを切断する。
【０１０７】
印刷部９７は、テープ搬送部９１２に設けられている。印刷部９７は、テープ搬送部９１２により搬送されるテープＴに印字を行う印刷ヘッドを有している。印刷部９７は、例えば、結束される紙幣に関連する情報（例えば、金種、日時、連続番号等）をテープＴに印字する。印刷部９７の印字位置は、印字が押印部９８による押印と重ならないように、押印部９８による押印予定部分に対してテープ幅方向にずれている。
【０１０８】
押印部９８は、前記クランプ部９４で紙幣を圧縮し且つ該紙幣にテープＴを巻き付けた状態で該テープＴに押印する。押印部９８は、例えば、結束される紙幣に関連する印（例えば、金融機関印、正券又は損券等の紙幣の種類を表す印等）をテープＴに押印する。押印部９８は、テープ輪Ｌの中へ配置される紙幣に対してヒータ９５及びカッタ９６とは反対側、具体的には、紙幣の集積方向においてヒータ９５及びカッタ９６とは反対側に配置されている。押印部９８は、スタンプ９８１と、スタンプ９８１を上下方向に移動させる移動機構（図示省略）とを有している。移動機構がスタンプ９８１を上方へ移動させることによって、スタンプ９８１は、紙幣に巻き付けられたテープＴに紙幣の集積方向から押印する。押印部９８は、下ガイド部９２６と一体的に設けられており、下ガイド部９２６が上下方向に移動するときに下ガイド部９２６と一体的に上下方向に移動する。
【０１０９】
〈紙幣処理装置のシステム構成〉
図５に、紙幣処理装置１００の概略構成を示すブロック図を示す。
【０１１０】
紙幣処理装置１００は、例えば周知のプロセッサをベースとした制御部１２０、記憶媒体１３０及び通信部１４０を備えている。
【０１１１】
制御部１２０には、前述したホッパ部２、識別部３、結束スタッカ４、非結束スタッカ５、リジェクトスタッカ６、第１搬送部７、第２搬送部８、結束部９、第３搬送部１０、投出部１１及びタッチパネル１７が、信号の送受信可能に接続されている。また、制御部１２０には、紙幣センサ２５、第１紙幣センサ４１１、第２紙幣センサ４１２、集積センサ５２、集積センサ６２、通過センサ７４、第１テープセンサ９２１０、及び第２テープセンサ９２１１が接続され、それらの検出信号が入力されるように構成されている。制御部１２０は、タッチパネル１７からの入力信号及び各種センサからの検知信号等に基づいて制御信号を生成し、ホッパ部２等へ該制御信号を出力する。ホッパ部２等は、その制御信号に従って動作する。例えば、結束スタッカ４を例に挙げると、ステージ４１、ガイド４２、ロック機構４６ｃ、整列機構４９及び羽根車４１０が制御部１２０により制御される。
【０１１２】
記憶媒体１３０には、識別部３からの識別結果及びキャプチャデータ（画像データ）並びに入金処理の計数結果等が保存される。
【０１１３】
通信部１４０は、通信インターフェースを含み、紙幣処理装置１００をインターネットに接続する。紙幣処理装置１００は、通信部１４０を介して上位装置（例えば、サーバ）１０００に通信可能に接続される。
【０１１４】
〈紙幣処理装置の動作説明〉
以下、紙幣処理装置１００の入金処理の動作について説明する。入金処理には、入金後の紙幣を種類ごとに分けて、所定枚数ごとに結束する結束処理と、入金後の紙幣を種類ごとに分けて、結束することなく所定枚数ごとに取り出させる分割処理とが少なくとも含まれる。結束処理においては、バラ状態の紙幣が種類に応じて分類されて所定のスタッカに集積される。そして、結束スタッカ４に集積された紙幣が所定の枚数に達すると該紙幣が結束される。分割処理では、バラ状態の紙幣が種類に応じて分類されて所定のスタッカに集積される。そして、各スタッカに集積された紙幣が所定の枚数に達すると、オペレータに該紙幣を取り出させる。
【０１１５】
結束処理及び分割処理の何れであっても、各スタッカには、集積する紙幣の種類が設定される。紙幣は、様々な属性を有し、識別部３が識別可能な属性には、通貨種別、金種、正損、新旧、及び向きが含まれる。紙幣の種類は、これらの属性によって特定される。つまり、紙幣の属性が設定されることによって、紙幣の種類が設定される。例えば、通貨種別が中国通貨で、金種が１００元で、正損が正券で、新旧が最新版（新券）で、向きが表且つ上向き（搬送方向前側と文字の上側が一致）と設定することで、一種類の紙幣が設定される。
【０１１６】
ただし、紙幣の種類を特定するためには、これら全ての属性を特定する必要があるわけではない。一部の属性のみで種類を特定することもできる。例えば、正損、新旧及び向きを区別せず、通貨種別が中国通貨で、金種が１００元とだけ設定することもできる。これにより、通貨種別及び金種だけで紙幣を種類分けすることもできる。
【０１１７】
各スタッカに集積する紙幣の種類の設定に関し、紙幣処理装置１００にはいくつかの設定モードが用意されている。詳しくは、紙幣処理装置１００は、各スタッカの紙幣の種類を予め指定しておく指定モードと、各スタッカの紙幣の種類を紙幣処理装置１００に取り込まれた順に自動的に設定する自動モードとを有する。
【０１１８】
指定モードでは、紙幣の取り込みを開始する前に、紙幣の各属性が具体的に指定されている。ここでいう「指定」とは、中国通貨や１００元のように属性を具体的に設定することに加え、属性を区別しないと設定することも含まれる。以下の説明では、区別しない属性は、「混合」と設定されるものとする。
【０１１９】
一方、自動モードでは、紙幣の属性の少なくとも１つが紙幣の取り込みが開始された後に自動的に割り当てられる。ただし、自動モードにおいては、全ての属性が自動的に設定されるわけではなく、一部の属性は、指定モードと同様に、紙幣の取り込みを開始する前に設定され、残りの属性が、紙幣の取り込み後に自動的に設定される。自動的に設定する方法としては、例えば、取り込まれた順に割り当てる方法がある。すなわち、通貨種別が中国通貨に、金種が「自動」に、正損、新旧及び向きが区別しないと設定されたとする。この設定では、紙幣処理装置１００に取り込まれた最初の中国通貨の金種が、スタッカに集積する紙幣の金種として自動的に割り当てられる。また、種類を設定するスタッカが複数ある場合には、自動モードでは、取り込まれた順で何番目の属性を自動的に割り当てるか、その順番がスタッカごとに設定される。つまり、各スタッカに設定される属性のうち自動的に設定される属性については、単に「自動」と設定されるのではなく、「１番目」、「２番目」のように、順番が設定される。金種に「１番目」と設定されたスタッカには、取り込まれた中国紙幣の最初の金種が該スタッカに集積する紙幣の金種として割り当てられる。金種に「２番目」と設定されたスタッカには、取り込まれた中国紙幣の２番目の金種が該スタッカに集積する紙幣の金種として割り当てられる。
【０１２０】
さらに、自動モードにおいては、スタッカに設定された紙幣の種類が一取引中に変わらない固定モードと、スタッカに設定された紙幣の種類が一取引中に変更される変更モードとが含まれる。
【０１２１】
固定モードにおいては、一取引が確定するまでは、各スタッカの設定がリセットされず、維持される。つまり、一度、各スタッカの紙幣の種類が自動的に設定されると、その設定が一取引中は維持される。
【０１２２】
一方、変更モードにおいては、一取引中であっても、スタッカに設定された紙幣の種類が変更される。例えば、スタッカに設定された属性のうち「自動」と設定され、取り込まれた順で自動的に割り当てられた属性が、所定のタイミングでリセットされ、リセット後に取り込まれた順で再び割り当てられる。所定のタイミングとは、例えば、スタッカから紙幣が抜き出されるときである。スタッカから紙幣が抜き出される状況は様々である。例えば、結束処理において結束スタッカ４に集積された紙幣を結束部９へ搬送するために紙幣が結束スタッカ４から抜き出されるとき、分割処理において結束スタッカ４又は非結束スタッカ５に集積された紙幣がスタッカから抜き出されるとき、後述する端数確定処理が行われたときなどが挙げられる。今回の例では、変更モードにおいてリセットされるのは、自動的に割り当てられた属性のみであり、事前に具体的に設定された属性についてはリセットされない。
【０１２３】
尚、今回の例では、指定モードは、固定モードだけで、変更モードはない。
【０１２４】
また、指定モードか自動モードかにかかわらず、紙幣処理装置１００は、各スタッカの紙幣の種類が設定された設定パターンを複数用意しており、オペレータは、その中から何れかの設定パターンを選択することによって各スタッカの紙幣の種類を設定する。尚、紙幣処理装置１００では、各スタッカの紙幣の種類を設定パターンの選択によるのではなく、オペレータが１つずつ入力することもできる。
【０１２５】
以上の設定モードを踏まえ、以下では結束処理についてまず説明する。図６に、結束処理のフローチャートを示す。
【０１２６】
まず、各スタッカに集積する紙幣の種類が設定される（ステップＳ１０１）。ここでは、自動モードであって且つ変更モードに設定されるものとする。具体的には、オペレータは、タッチパネル１７に表示された複数の設定パターンの中から、自動且つ変更モードであって、スタッカの種類が所望の内容となっている設定パターンを選択する。例えば、第１結束スタッカ４Ａの設定では、通貨種別が中国通貨で、金種が「１番目」で、正損、新旧及び向きが区別しないとなっており、第２結束スタッカ４Ｂの設定では、通貨種別が中国通貨で、金種が「２番目」で、正損、新旧及び向きが区別しないとなっており、第１非結束スタッカ５Ａ及び第２非結束スタッカ５Ｂが不使用となっている設定パターンをオペレータが選択する。非結束スタッカ５は、紙幣を結束することなく集積するためのスタッカであるので、結束しない紙幣の種類が予め決まっていない場合や全ての種類の紙幣を結束する場合には、非結束スタッカ５を使用せず、結束スタッカ４及びリジェクトスタッカ６を用いて結束処理を行う。この設定パターンの場合、紙幣は、通貨種別及び金種に基づいて種類分けされ、正損、新旧及び向きは、区別されない。通常は、紙幣処理装置１００は、銀行内で使用され、入金される紙幣はその国の紙幣がほとんどであるので、通貨種別は、実質的に固定される。つまり、この設定パターンでは、紙幣は、実質的に金種のみに基づいて種類分けされる。
【０１２７】
オペレータがタッチパネル１７を介して所望の設定パターンを入力すると、制御部１２０は、各スタッカの紙幣の種類をその設定パターンの通りに設定する。
【０１２８】
続いて、制御部１２０は、結束スタッカ４の扉４６が閉じているか否かを判定する（ステップＳ１０２）。制御部１２０は、扉センサの検出結果に基づいて扉４６が閉じているか否かを判定する。扉４６が閉じている場合には、制御部１２０は、ステップＳ１０３へ進む。一方、扉４６が開いている場合には、制御部１２０は、タッチパネル１７にその旨を表示すると共に、扉４６が閉じられるまで待機する。
【０１２９】
ステップＳ１０３では、紙幣の取り込みが行われる。具体的には、オペレータは顧客から入金すべきバラ状態の紙幣を受け取り、該紙幣をホッパ部２へ載置する。このとき、バラ状態の紙幣に複数種類の紙幣が混在していたとしても、それらを分類することなく、ホッパ部２へ載置する。オペレータは、紙幣の寸法に合わせて、ガイド部２２を調整する。続いて、オペレータは、タッチパネル１７の「計数開始」ボタンを押す。「計数開始」ボタンが押されると、制御部１２０は、紙幣の取込を開始する。尚、紙幣センサ２５がホッパ部２への紙幣の載置を検知すると、紙幣処理装置１００が自動的に紙幣の取込を開始するようにしてもよい。
【０１３０】
ホッパ部２に載置された紙幣は、取込ローラ２３が作動することにより１枚ずつ取込口２４から、筐体１２内へ取り込まれていく。取り込まれた紙幣は、第１搬送部７により搬送され、識別部３を通過する。識別部３は、通過する紙幣の通貨種別、金種、正損、新旧、及び向きを取得し、その結果を制御部１２０へ通知する（ステップＳ１０４）。
【０１３１】
制御部１２０は、識別部３からの識別結果を受け取ると、第１結束スタッカ４Ａ及び第２結束スタッカ４Ｂに紙幣の金種が既に割り当てられているか否かを確認し、割り当てられていなければ、取り込まれた紙幣の金種をスタッカに集積する紙幣の金種として割り当てる（ステップＳ１０５）。このとき、第１結束スタッカ４Ａ及び第２結束スタッカ４Ｂの両方とも金種が割り当てられていない場合（紙幣の取り込みを開始した直後は、この状態である。）には、第１結束スタッカ４Ａの金種が「１番目」に設定されているので、制御部１２０は、取り込まれた紙幣の金種を先に第１結束スタッカ４Ａの金種として割り当てる。第１結束スタッカ４Ａの金種が既に割り当てられており且つ取り込まれた紙幣の金種が第１結束スタッカ４Ａの金種と異なる場合には、制御部１２０は、取り込まれた紙幣の金種を第２結束スタッカ４Ｂの金種として割り当てる。尚、詳しくは後述するが、第１結束スタッカ４Ａの金種の割り当てがリセットされる場合があり、この場合には第２結束スタッカ４Ｂの金種のみが既に割り当てられている。この際には、取り込まれた紙幣の金種が第２結束スタッカ４Ｂの金種と異なる場合には、制御部１２０は、取り込まれた紙幣の金種を第１結束スタッカ４Ａの金種として割り当てる。
【０１３２】
その後、制御部１２０は、取り込んだ紙幣の搬送先を決定し、紙幣を搬送先となるスタッカへ搬送し、集積する（ステップＳ１０６）。具体的には、第１結束スタッカ４Ａ及び第２結束スタッカ４Ｂにそれぞれ設定された種類と同じ種類の紙幣は、対応する結束スタッカ４が搬送先となる。一方、第１結束スタッカ４Ａ及び第２結束スタッカ４Ｂにそれぞれ設定された種類以外の種類の紙幣は、リジェクトスタッカ６が搬送先となる。また、第１結束スタッカ４Ａ及び第２結束スタッカ４Ｂにそれぞれ設定された種類と同じ種類の紙幣であっても、リジェクト紙幣と判断された紙幣は、リジェクトスタッカ６が搬送先となる。
【０１３３】
制御部１２０は、紙幣が搬送先となるスタッカに搬送されるように第１搬送部７を制御する。具体的には、制御部１２０は、搬送先となるスタッカへ繋がる分岐路７２に対応する振り分け機構７３を該紙幣が主搬送路７１から該分岐路７２へ導かれるように制御する。制御部１２０は、該分岐路７２の直前の通過センサ７４が紙幣を検知したときに、該振り分け機構７３を切り替える。
【０１３４】
紙幣がスタッカまで搬送されてくると、制御部１２０は、該スタッカの羽根車を回転させ、紙幣を該スタッカに集積していく。
【０１３５】
続いて、制御部１２０は、各結束スタッカ４に集積された紙幣の枚数が所定の集積枚数（例えば、１００枚）に達したか否かを判定する（ステップＳ１０７）。紙幣の枚数が集積枚数未満の場合は、制御部１２０は、ホッパ部２に紙幣が存在するか確認し（ステップＳ１１０）、取り込む紙幣が存在する場合には、ステップＳ１０２に戻って、扉４６が閉じていることの確認及び紙幣の取り込みからの処理を繰り返す。こうして、結束スタッカ４に集積された紙幣の枚数が集積枚数に達するか、ホッパ部２の紙幣が無くなるまで、各スタッカに紙幣が集積されていく。
【０１３６】
ここで、結束スタッカ４に紙幣を集積する際には、以下のような処理が実行される。
【０１３７】
詳しくは、制御部１２０は、紙幣が結束スタッカ４に搬送されてくる前に、ステージ４１を初期位置に移動させる。ステージ４１の初期位置は、比較的上方であって、羽根車４１０に接近した位置である。これにより、結束スタッカ４内に落下する紙幣の落下距離を比較的短くすることができ、紙幣の落下位置を安定させることができる。ただし、ステージ４１の初期位置は、第２紙幣センサ４１２の高さよりも低い位置である。また、制御部１２０は、結束スタッカ４に搬送されてくる紙幣の種類に応じた位置にガイド４２を移動させる。紙幣は、その短手方向が搬送方向と一致する姿勢で搬送されてくるため、ガイド４２の位置は紙幣の短手方向寸法に応じて調整される。
【０１３８】
この状態を初期状態として、紙幣が結束スタッカ４に搬送されてくる。結束スタッカ４内に搬入された紙幣は搬送方向への運動量をもっているので、紙幣の搬送方向前側の第２辺ｂ２がガイド４２に当たり、そのままステージ４１上に落下する。このとき、制御部１２０は、羽根車４１０を回転させ、紙幣の落下を促進する。ステージ４１上においては、紙幣の第２辺ｂ２は、ガイド４２に略接触した状態となっている。また、紙幣の第４辺ｂ４は、後壁４３との間に微小な隙間を有する状態で該後壁４３と対向している。
【０１３９】
制御部１２０は、結束スタッカ４に紙幣が１枚搬入されるごとに、整列機構４９のアーム４９ａを作動させる。これにより、紙幣は、その長手方向において位置決め部４７の方へ押圧され、紙幣の第１辺ｂ１が位置決め部４７に接触するようになる。こうして、集積された紙幣の両短辺が揃えられる。
【０１４０】
制御部１２０は、結束スタッカ４に集積された紙幣が所定枚数（例えば１０枚）増えるごとにステージ４１を該所定枚数の厚みに相当する量だけ下降させる。これを繰り返すことによって、ステージ４１上の最も上の紙幣（以下、「最上紙幣」という）の高さ位置（ステージ４１上に紙幣が存在しない場合にはステージ４１の高さ位置）を所定の範囲に収めることができる。これにより、結束スタッカ４内に落下する紙幣の落下距離を概ね一定の範囲に保つことができるので、自然落下する紙幣の落下位置及び落下したときの姿勢を略一定にすることができる。
【０１４１】
ただし、最上紙幣の高さは、第２紙幣センサ４１２によって監視されている。制御部１２０は、紙幣が結束スタッカ４に搬入されるごとに第２紙幣センサ４１２が紙幣を検知しているか否かを判定する。通常は、第２紙幣センサ４１２は、紙幣を検知していない。しかし、第２紙幣センサ４１２が紙幣を検知した場合には、制御部１２０は、ステージ４１を所定量だけ下降させる。このときの下降量は、前述の所定枚数の紙幣の厚みに相当する量か、それよりも少しだけ多い量である。これにより、第２紙幣センサ４１２が紙幣を検知していない状態となる。つまり、制御部１２０は、紙幣の枚数が所定枚数増えるごとにステージ４１を下降させる制御を基本としつつ、最上紙幣が第２紙幣センサ４１２に検知される高さを超えたときにはステージ４１を基本の制御とは別に下降させる。紙幣の状態によっては、同じ枚数の紙幣束であってもその厚みが異なるので、紙幣の枚数に応じたステージ４１の制御と、最上紙幣の高さの監視によるステージ４１の制御とを併用することによって、結束スタッカ４内に落下する紙幣の落下距離を略一定の範囲に保つことができる。
【０１４２】
制御部１２０は、このような処理を第１結束スタッカ４Ａ及び第２結束スタッカ４Ｂでそれぞれ行う。
【０１４３】
やがて、何れかの結束スタッカ４に集積された紙幣の枚数が集積枚数に達すると、制御部１２０は、該紙幣を結束する（ステップＳ１０８）。
【０１４４】
具体的には、制御部１２０は、ステージ４１を上昇させ、集積された紙幣をステージ４１と天井４５とで所定の厚みとなるように圧縮する。ただし、紙幣が新札である場合など、ステージ４１上に自由落下して集積された紙幣の厚みが該所定の厚みに達していない場合には、ステージ４１が上昇しても、紙幣は圧縮されない。
【０１４５】
その後、制御部１２０は、第２搬送部８の把持ユニット８１に紙幣を把持させる。ステージ４１及びガイド４２は、前述の如く櫛歯状に形成されているので、把持ユニット８１は、ステージ４１上の紙幣をステージ４１及びガイド４２に干渉することなく把持することができる。第２搬送部８は、把持ユニット８１が紙幣を把持した状態で紙幣を搬送方向前側へ引き出す。このとき、把持ユニット８１に引き出される紙幣がガイド４２の上側ガイド４２を押し動かし、搬送方向前側に回転させる。これにより、結束スタッカ４が搬送方向前側へ開口し、紙幣が結束スタッカ４から抜き出される。
【０１４６】
そして、第２搬送部８は、紙幣を結束部９へ搬送する。制御部１２０は、第２搬送部８に紙幣を結束部９へ搬送させるのと並行して、結束部９に大テープ輪Ｌ２を作成させる。第２搬送部８は、紙幣を大テープ輪Ｌ２と幅方向に並ぶ位置まで搬送した後、大テープ輪Ｌ２の中へ進入させる。このとき、把持ユニット８１は、紙幣の結束予定部分（後の処理でテープＴが巻き付けられる部分）を把持しているので、一時把持部が紙幣を一旦把持し、第２搬送部８は、紙幣の結束予定部分以外の部分を把持し直す。
【０１４７】
続いて、クランプ部９４が紙幣を集積方向へ両側から押圧する。尚、クランプ部９４が紙幣を押圧するときには、把持ユニット８１及び一時把持部による把持は解除されている。
【０１４８】
ここで、下クランプ部の上昇に連動して、下ガイド部９２６が上方へ移動すると共に、送り出しローラ対９２０がテープＴを引き戻してテープ輪Ｌを小さくしていく。やがて、下ガイド部９２６の上昇は停止するものの、テープＴの引き戻しは継続され、最終的に、テープＴが紙幣に巻き付けられる。
【０１４９】
続いて、ヒータ９５がテープＴ同士を接合すると共に、カッタ９６がテープＴを切断する。それに加えて、押印部９８がテープＴに押印する。
【０１５０】
テープＴの接合、切断及び押印が完了すると、把持ユニット８１が結束紙幣を把持する。続いて、下クランプ部が下降して、クランプ部９４による押圧が解除される。その後、第２搬送部８は、結束紙幣を、先ほど紙幣を大テープ輪Ｌ２内へ搬送したときとは反対側へ所定量だけ搬送する。
【０１５１】
次に、把持ユニット８１は、結束紙幣の把持を解除する。代わりに、第３搬送部１０が結束紙幣を把持する。詳しくは、把持ユニット８１による把持が解除された紙幣は、把持ユニット８１の下アーム部８１ｂ及びクランプ部９４の下クランプ部上に載置された状態となる。この状態で、第３搬送部１０が結束スタッカ４側から結束紙幣の方へ第１水平方向に移動してくる。第３搬送部１０の上把持部１０１と下把持部１０２との間隔は、前述の如く、結束紙幣に近づくにつれて小さくなり、第３搬送部１０が結束紙幣に到達したときには、第３搬送部１０が結束紙幣を把持する。
【０１５２】
続いて、第３搬送部１０が、結束紙幣を投出部１１に向かって搬送する。このとき、第２搬送部８の下アーム部８１ｂ及び下クランプ部が結束紙幣を下方から支えており、結束紙幣が投出部１１まで搬送される際のガイドとして機能する。第３搬送部１０は、結束紙幣が投出部１１に近づくと、該結束紙幣の把持を徐々に解除する。最終的に、結束紙幣は、第３搬送部１０により投出部１１へ押し出される。
【０１５３】
投出部１１は、ホッパ部２の上方の受取位置において結束紙幣を受け取り、該結束紙幣を側方へスライドさせて、ホッパ部２の上方から側方へずれた投出位置において投出する。結束紙幣は、投出口１１１から投出される。
【０１５４】
このように紙幣を結束するにあたって、制御部１２０は、紙幣が抜き取られた結束スタッカ４に設定された紙幣の種類、具体的には、自動的に割り当てられた属性（即ち、金種）をリセットする（ステップＳ１０９）。つまり、制御部１２０は、紙幣が抜き取られた結束スタッカ４の設定を、金種が割り当てられる前の状態に戻す。
【０１５５】
その後、制御部１２０は、前述のステップＳ１１０へ進み、ホッパ部２に紙幣が存在するか確認し、取り込む紙幣が存在する場合には、ステップＳ１０２に戻って、扉４６が閉じていることの確認及び紙幣の取り込みからの処理を繰り返す。
【０１５６】
ただし、結束スタッカ４に集積された紙幣を結束した後は、該結束スタッカ４の紙幣の種類の設定がリセットされており、該結束スタッカ４には紙幣の金種が割り当てられていない状態となっている。そのため、紙幣の取り込みを繰り返す間に、他方の結束スタッカ４に割り当てられた金種以外の金種の紙幣が取り込まれると、ステップＳ１０５において、制御部１２０は、当該金種を設定がリセットされた方の結束スタッカ４の金種として自動的に割り当てる。
【０１５７】
以上のように、紙幣の取り込み、結束スタッカ４の紙幣の種類の自動設定、紙幣の集積、紙幣の結束、自動設定のリセットが、ホッパ部２の紙幣が無くなるまで繰り返される。ホッパ部２の紙幣の有無は、紙幣センサ２５によって検知される。
【０１５８】
やがて、ホッパ部２の紙幣が無くなると、制御部１２０は、タッチパネル１７に操作ボタンを表示させる（ステップＳ１１１）。具体的には、制御部１２０は、「取引確定」ボタン、「取引キャンセル」ボタン、「計数再開」ボタン及び「端数確定」ボタンをタッチパネル１７に表示させる。制御部１２０は、何れのボタンが操作されたかを判定し（ステップＳ１１２）、操作されたボタンに応じた処理を行う。
【０１５９】
「取引確定」ボタンは、取引を確定させるためのボタンである。紙幣の取り込みが終了すると、入金すべき紙幣の計数が終了する。そこで、そのまま取引を終了する場合は、オペレータは、顧客からその金額の承認を得るか、又は、その金額と顧客が記載した入金伝票に記載された金額との一致を確認して、「取引確定」ボタンを押す。「取引確定」ボタンが押されると、制御部１２０は、記番号等の紙幣に関する情報及び入金額等をデータベースに保存し、取引を確定させる（ステップＳ１１３）。
【０１６０】
「取引キャンセル」ボタンは、取引をキャンセルするためのボタンである。何らかの理由により取引をキャンセルしたい場合に、オペレータが「取引キャンセル」ボタンを押す。「取引キャンセル」ボタンが押されると、制御部１２０は、記番号等の紙幣に関する情報及び入金額等をデータベースにキャンセルされた取引のデータとして保存する。
【０１６１】
「計数再開」ボタンは、紙幣の取り込みを再び行うためのボタンである。リジェクトスタッカ６に集積した紙幣をもう一度取り込む場合や、多すぎてホッパ部２に一度に載せることができなかった紙幣をホッパ部２に載置して取り込みを行う場合等にオペレータが「計数再開」ボタンを押す。「計数再開」ボタンが押されると、制御部１２０は、ステップＳ１０２へ戻り、扉４６が閉じていることの確認及びホッパ部２からの紙幣の取り込みを実行する。
【０１６２】
「端数確定」ボタンは、スタッカに残留する紙幣を、集積枚数に達しなかった端数の紙幣として確定させるためのボタンである。一取引中に含まれる、スタッカに残留する紙幣と同じ種類の紙幣を全て集積させた、即ち、該種類の紙幣がもう存在しないとオペレータが判断したときに、オペレータが「端数確定」ボタンを押す。「端数確定」ボタンが押されると、制御部１２０は、以下の端数確定処理を実行する。
【０１６３】
詳しくは、結束スタッカ４に対して「端数確定」ボタンが押されると、制御部１２０は、ステージ４１を下げ、ガイド４２を紙幣から離れる方向に移動させると共に、ロック機構４６ｃを解除状態とする（ステップＳ１１４）。ロック機構４６ｃが解除されると、扉４６は、ネジリバネ及び板バネによって自動的に開く。オペレータは、結束スタッカ４から残留紙幣を抜き出し、同じ種類の結束紙幣と共に管理する。それに加え、結束スタッカ４から紙幣が抜き出されると、制御部１２０は、紙幣が抜き取られた結束スタッカ４に設定された紙幣の種類、具体的には、自動的に割り当てられた属性（即ち、金種）をリセットする（ステップＳ１１５）。オペレータは、残留紙幣を抜き取った後、扉４６を閉じる。扉４６が閉じられると、ロック機構４６ｃは、扉４６を拘束状態とする。
【０１６４】
こうして「端数確定」ボタンが押されると、対応するスタッカの端数紙幣の抜き出しを可能とすると共に設定をリセットし、該スタッカを別の種類の紙幣の集積に用いることができるようにする。つまり、「端数確定」ボタンが押されても、一取引が終了するわけではなく、一取引が継続した状態で、扉４６が開かれ、結束スタッカ４から紙幣が抜き出される。
【０１６５】
通常は、「端数確定」ボタンが押され、端数紙幣が抜き取られた後は、別の種類の紙幣の集積を実行すべく、リジェクトスタッカ６等に集積された紙幣が再度取り込まれる。そこで、「端数確定」ボタンが押され、スタッカの設定がリセットされた後は、制御部１２０は、ステップＳ１１２へ戻り、「計数再開」ボタンが押されるのを待機する。
【０１６６】
「計数再開」ボタンが押されると、制御部１２０は、ステップＳ１０２へ戻り、扉４６が閉じられたか否かを判定し、扉４６が閉じられている場合には、ホッパ部２からの紙幣の取り込みを再開する。端数確定処理においては結束スタッカ４の扉４６が開かれるので、扉４６が開いた状態のまま次の紙幣の取り込みが開始される場合があり得る。しかしながら、端数確定処理後に紙幣の取り込みを再開するときにはステップＳ１０２において扉４６が閉じていることが必ず確認される。つまり、端数確定処理後は、扉４６が閉じられることが紙幣の取り込みを再開する条件の１つとなっている。これにより、扉４６が開いた状態で紙幣の取り込みが再開されることが防止される。
【０１６７】
この例では、「端数確定」ボタンは、スタッカごとに設けられている。つまり、今回の処理では、タッチパネル１７に、第１結束スタッカ４Ａの「端数確定」ボタン及び第２結束スタッカ４Ｂの「端数確定」ボタンが表示される。尚、非結束スタッカ５を使用する場合には、非結束スタッカ５の「端数確定」ボタンも表示され得る。ただし、「端数確定」ボタンがスタッカごとに設けられるのではなく、全てのスタッカに対して端数を確定させるべく、全体で１つの「端数確定」ボタンが表示されてもよい。
【０１６８】
こうして、紙幣の取り込みが繰り返され、ホッパ部２の紙幣が無くなる度にタッチパネル１７に操作ボタンが表示される。最終的に、所望の種類の紙幣の結束が完了すると、オペレータは「取引確定」ボタンを押し、取引を確定させる。取引が確定した際にも結束スタッカ４に紙幣が残留している場合には、端数確定と同様に、端数紙幣を取り出す処理を実施する。
【０１６９】
以上の処理により、複数種類の紙幣が混在し且つバラ状態であった紙幣は、種類ごとに分類され、所望の種類の紙幣は結束された状態となる。
【０１７０】
尚、以上の説明では、非結束スタッカ５を使用していないが、紙幣の集積に使用してもよい。例えば、流通量が少なく、結束枚数に達しないと想定される種類の紙幣を非結束スタッカ５に集積させてもよい。これにより、結束スタッカ４に集積されずに、リジェクトスタッカ６に搬送させる紙幣を減らすことができる。リジェクトスタッカ６に集積された紙幣は、再度の取り込みの対象となる紙幣であるので、リジェクトスタッカ６に搬送される紙幣を減らすことによって全体的な処理時間を短縮することができる。
【０１７１】
次に、分割処理について説明する。図７に、分割処理のフローチャートを示す。分割処理の基本的な処理の流れは、結束処理と同様である。以下では、結束処理と異なる部分を中心に説明する。
【０１７２】
詳しくは、まず、各スタッカに集積する紙幣の種類が設定される（ステップＳ２０１）。ここでは、自動モードであって且つ変更モードに設定されるものとする。具体的には、オペレータは、タッチパネル１７に表示された複数の設定パターンの中から、自動且つ変更モードであって、スタッカの種類が所望の内容となっている設定パターンを選択する。例えば、第１結束スタッカ４Ａの設定では、通貨種別が中国通貨で、金種が「１番目」で、正損、新旧及び向きが区別しないとなっており、第２結束スタッカ４Ｂの設定では、通貨種別が中国通貨で、金種が「２番目」で、正損、新旧及び向きが区別しないとなっており、第１非結束スタッカ５Ａの設定では、通貨種別が中国通貨で、金種が「３番目」で、正損、新旧及び向きが区別しないとなっており、第２非結束スタッカ５Ｂの設定では、通貨種別が中国通貨で、金種が「４番目」で、正損、新旧及び向きが区別しないとなっている設定パターンをオペレータが選択する。前述の結束処理では、非結束スタッカ５を使用しなかったのに対し、今回の分割処理では、非結束スタッカ５も使用する。
【０１７３】
続いて、扉４６が閉じられていることが確認され（ステップＳ２０２）、紙幣の取り込みが開始され（ステップＳ２０３）、取り込まれた紙幣が識別され（ステップＳ２０４）、各スタッカに紙幣の種類が自動的に設定され（ステップＳ２０５）、紙幣が種類ごとに対応するスタッカに集積される。これらの処理は、前述の結束処理と同様である。ただし、この分割処理では、前述の結束処理と異なり、非結束スタッカ５も紙幣の集積に使用するので、紙幣を集積するスタッカは４個となる。そのため、取り込まれた紙幣の金種に関し、４番目の金種までが順次、各スタッカに割り当てられる。
【０１７４】
その後、制御部１２０は、各スタッカに集積された紙幣の枚数が所定の集積枚数に達したか否かを判定する（ステップＳ２０７）。このとき、非結束スタッカ５にも紙幣が集積されているので、制御部１２０は、結束スタッカ４だけでなく、非結束スタッカ５についても紙幣の枚数を判定する。そして、何れかのスタッカに集積された紙幣の枚数が集積枚数に達するか、ホッパ部２の紙幣が無くなるまで、各スタッカに紙幣が集積されていく。
【０１７５】
やがて、何れかのスタッカに集積された紙幣の枚数が集積枚数に達すると、制御部１２０は、取出処理を行う（ステップＳ２０８）。具体的には、タッチパネル１７にその旨を通知すると共に、結束スタッカ４については扉４６を開き、非結束スタッカ５については押出機構５４を作動させ、紙幣を押し出させる。こうして、オペレータに紙幣の取り出しを促す。
【０１７６】
そして、該当するスタッカから紙幣が抜き取られると、制御部１２０は、紙幣が抜き取られたスタッカに設定された紙幣の種類、具体的には、自動的に割り当てられた属性（即ち、金種）をリセットする（ステップＳ２０９）。
【０１７７】
続いて、制御部１２０は、ホッパ部２に紙幣が存在するか確認し（ステップＳ２１０）、取り込む紙幣が存在する場合には、ステップＳ２０２に戻って、扉４６が閉じていることの確認及び紙幣の取り込みからの処理を繰り返す。このように、紙幣の取り込みを繰り返す際に、制御部１２０は、扉４６が閉じられているか否かを判定する。紙幣が抜き取られたスタッカが結束スタッカ４である場合には、該結束スタッカ４の扉４６が開いたままとなっている可能性がある。この状態では、該結束スタッカ４に紙幣を適切に集積できないので、扉４６が閉じていることを紙幣の取り込みを開始する条件の１つとする。
【０１７８】
その後、ホッパ部２の紙幣が無くなると、制御部１２０は、タッチパネル１７に操作ボタンを表示させる（ステップＳ２１１）。このとき、非結束スタッカ５用の「端数確定」ボタンも表示される。
【０１７９】
「端数確定」ボタンが押されると、結束スタッカ４に対する端数確定である場合には、制御部１２０は、扉４６を開放する一方、非結束スタッカ５に対する端数確定である場合には、制御部１２０は、押出機構５４を作動させ、紙幣を押し出させる（ステップＳ２１４）。その後、スタッカから紙幣が抜き取られると、制御部１２０は、該スタッカの設定をリセットする（ステップＳ２１５）。
【０１８０】
その他、「取引確定」ボタン、「取引キャンセル」ボタン及び「計数再開」ボタンが押された後の処理は、結束処理と同様である。
【０１８１】
以上のように、紙幣処理装置１００は、紙幣を取り込むホッパ部２と、ホッパ部２から取り込まれた紙幣を集積する結束スタッカ４と、結束スタッカ４を開閉する扉４６と、ホッパ部２、結束スタッカ４及び扉４６を制御する制御部１２０とを備え、制御部１２０は、一取引中に含まれる紙幣をホッパ部２から取り込み、取り込んだ紙幣のうち特定の種類の紙幣を結束スタッカ４に集積させ、結束スタッカ４に集積された紙幣の枚数が所定の集積枚数に達すると、該紙幣を次の処理へ移行させる一連の処理を行い、該一連の処理を紙幣の種類を変更して、複数の種類の紙幣に対して行い、該一取引中は扉４６を閉じた状態で保持する一方、一の種類の紙幣に対して一連の処理が終了したときに集積枚数に達しない端数の紙幣が結束スタッカ４に残留している場合には該一取引中であっても扉４６を開ける。
【０１８２】
この構成によれば、紙幣処理装置１００は、ホッパ部２から紙幣を取り込み、そのうちの特定の種類の紙幣を結束スタッカ４に集積させ、集積させた紙幣が所定の集積枚数に達すると、該紙幣を次の処理、例えば、結束処理や取出処理に移行させる。この一連の処理は、結束スタッカ４に集積する紙幣の種類を変更して行われる。また、一取引中においては、結束スタッカ４の扉４６は閉じられた状態で保持されている。これにより、一取引中にオペレータ等が結束スタッカ４から紙幣を抜き取ることができないようにし、結束スタッカ４に集積される紙幣を正確に管理している。
【０１８３】
そのような構成を前提として、一の種類の紙幣に対して一連の処理が終了したときに端数の紙幣が結束スタッカ４に残留している場合には、制御部１２０は、一取引中であっても扉４６を開ける。こうすることで、紙幣処理装置１００の処理に柔軟性を持たせることができる。つまり、一取引中は結束スタッカ４から紙幣を取り出せない構成では、一の種類の紙幣に対して一連の処理が終了したときに結束スタッカ４に端数の紙幣が残留していると、該結束スタッカ４はその取引中は別の種類の紙幣の集積に利用することができない。そのため、取引の途中で、結束スタッカ４を利用できなくなってしまう。それに対し、前記の構成によれば、一取引中であっても結束スタッカ４から紙幣を取り出せるので、結束スタッカ４を空の状態にして、該結束スタッカ４を別の種類の紙幣の集積に利用することができる。つまり、一取引中に、結束スタッカ４に集積する紙幣の種類を変更することができる。こうして、紙幣処理装置１００の処理に柔軟性を持たせることができる。
【０１８４】
〈データ転送〉
続いて、紙幣処理装置１００のデータ転送について説明する。紙幣処理装置１００は、通信部１４０を介して上位装置１０００に通信可能に接続されている。上位装置１０００は、データベースを有し、紙幣処理装置１００から転送された各種データを記憶しておく。紙幣処理装置１００は、入金処理に係る計数結果、紙幣の情報（例えば、記番号情報等）、紙幣のキャプチャデータ及び、紙幣束の情報等を一旦、記憶媒体１３０に記憶している。紙幣処理装置１００は、所定のタイミングで記憶媒体１３０から各種データを読み出し、上位装置１０００へ転送する。
【０１８５】
紙幣処理装置１００は、上位装置１０００へ転送していないデータが存在する場合には、電源オフの操作がされたときに、各種データを上位装置１０００へ転送する。こうして各種データが転送されるときには、制御部１２０は、データ転送中は電源オンを維持し、データ転送が完了した後で電源をオフにする。
【０１８６】
このように、電源オフ処理時にデータ転送を行うことによって、紙幣処理装置１００で処理を行ってる最中にデータ転送が行われることが回避されるため、紙幣処理装置１００の稼働率を向上させることができ、業務効率を向上させることができる。つまり、転送するデータが多い場合には、転送処理に時間を要し、転送中は紙幣処理装置１００で紙幣の処理を行うことができない。それに対し、電源オフ処理時は、紙幣処理装置１００をもう使用しないので、このときにデータ転送を行うことによって、紙幣処理装置１００の稼働率を向上させることができる。
【０１８７】
ただし、エラー発生時等に誤って電源がオフにされる場合もある。このような場合に備えて、電源がオフにされて各種データが転送されるときには、タッチパネル１７に「転送停止」ボタンが表示される。「転送停止」ボタンが押されると、制御部１２０は、各種データの転送を中断する。こうすることによって、誤って電源がオフにされたことによって、誤ったタイミングでデータが転送されることを回避することができる。
【０１８８】
尚、電源がオフにされたときに各種データを転送するか否かは、設定により切り替えることができる。
【０１８９】
また、紙幣処理装置１００は、電源オフ処理時以外にも以下のタイミングで各種データを上位装置１０００へ転送する。例えば、紙幣処理装置１００は、電源がオンされ、紙幣処理装置１００のリセット処理が終了したとき、メンテナンスモードが終了したとき、タッチパネル１７に表示された「転送開始」ボタンが押されたとき、及び、取引が確定したとき（例えば、「取引確定」ボタンが押されたとき）に各種データを転送する。尚、取引が確定したときに各種データを転送するか否かは、電源オフ処理時と同様に、設定により切り替えることができる。前述のように、基本的には、電源オフ処理時に各種データが上位装置１０００に転送されるが、通信環境や上位装置１０００の状況によってはデータ転送が適切に行えない場合がある。そのような場合には、電源がオンにされ、リセット処理が終了したときに、各種データが上位装置１０００へ転送される。メンテナンスモードは、通常の使用状況ではないので、メンテナンスモードが終了したときに各種データが上位装置１０００へ転送される。また、転送時間を待つことができるような状況やデータを早く上位装置１０００へ転送したい状況においては、オペレータが「転送開始」ボタンを押すことによって、電源オフ処理を待たずして、データ転送が行われる。同様に、転送時間を待つことができるような状況や、取引の都度、データを上位装置１０００へ転送したい状況においては、取引が確定したときに、データ転送が行われる。
【０１９０】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１９１】
前記実施形態について、以下のような構成としてもよい。
【０１９２】
前記実施形態では、紙葉類処理装置の例として紙幣処理装置１００について説明したが、紙葉類処理装置はこれに限られるものではない。例えば、紙幣処理装置１００は、結束スタッカ４が２つ設けられ、非結束スタッカ５が２つ設けられ、リジェクトスタッカ６が１つ設けられているが、これらの個数はこれに限られるものではない。例えば、結束スタッカ４は、１つ又は３つ以上であってもよい。非結束スタッカ５は、１つ又は３つ以上であってもよい。リジェクトスタッカ６は、２以上であってもよい。あるいは、非結束スタッカ５及びリジェクトスタッカ６を省略してもよい。
【０１９３】
以上の説明では、紙葉類の例として紙幣について説明したが、紙葉類は紙幣に限られず、商品券等の金券や小切手等であってもよい。
【０１９４】
また、紙幣処理装置１００は、端数の紙幣が確定したときに、扉４６を開けるように構成されているが、扉４６を開けなくても、開放可能とする構成であってもよい。すなわち、紙幣処理装置１００では、扉４６がネジリバネ及び板バネによって開状態となる方向に付勢されているため、ロック機構４６ｃを解除状態にすることによって扉４６が自動的に開くようになっている。しかし、扉４６が開状態となる方向に付勢されていなくてもよく、オペレータ等が扉４６を開く構成であってもよい。このような構成においては、紙幣処理装置１００は、端数の紙幣が確定したときには、扉４６の拘束を解除するだけにしてもよい。つまり、紙幣処理装置１００は、扉４６を開放可能とするだけで、扉４６の開放はオペレータにより実行される。
【０１９５】
紙幣処理装置１００は、端数の紙幣が残留していることがオペレータから入力され、その入力をもって端数の紙幣が残留していると判定するように構成されている。しかし、端数の紙幣が残留していることを紙幣処理装置１００が検知するように構成してもよい。例えば、紙幣を種類ごとに分けた状態でホッパ部２に載置してもらうようにする。その場合、ホッパ部２から取り込まれた紙幣の種類が変わることをもって、一の種類の紙幣がもう取り込まれないと判断することができる。すなわち、紙幣処理装置１００は、取り込まれた紙幣の種類が変わることをもって端数の紙幣が残留していると判定することができる。
【０１９６】
また、結束処理では、非結束スタッカ５を使用しない場合について説明しているが、非結束スタッカ５を使用してもよい。結束スタッカ４に設定されていない種類の紙幣を、リジェクトスタッカ６だけでなく、非結束スタッカ５にも集積させるようにしてもよい。リジェクトスタッカ６だけでは容量に限界がある。処理の途中でリジェクトスタッカ６の紙幣が一杯になると、紙幣の処理を一旦停止し、リジェクトスタッカ６の紙幣を取り出す必要がある。それに対し、非結束スタッカ５も使用することによって、より多くの紙幣を連続的に処理できるようになる。この場合、非結束スタッカ５に集積された紙幣は、再度取り込まれることになるので、非結束スタッカ５に集積された紙幣は、入金された紙幣として計数しないようにする。例えば、非結束スタッカ５から紙幣を抜き出すときに、非結束スタッカ５に集積された紙幣の計数をキャンセルするようにする。
【０１９７】
紙幣処理装置１００は、結束処理と分割処理との両方を行うことができるが、何れか一方の処理だけができるものであってもよく、その他の処理が実行できるものであってもよい。
【０１９８】
また、以上の説明では、第１結束スタッカ４Ａと第２結束スタッカ４Ｂとには、異なる紙幣の種類が設定されているが、両方に同じ紙幣の種類が設定されてもよい。
【０１９９】
また、自動モードにおいては、紙幣がスタッカから抜き出されたときにスタッカの設定がリセットされているが、これに限られるものではない。例えば、一度設定された種類の紙幣に対して端数が確定したときに、その設定をリセットするようにしてもよい。すなわち、結束処理であれば、結束スタッカ４に一度、紙幣の種類が設定されると、該種類の紙幣の端数が確定するまでは、該種類の紙幣の集積及び結束への移行を繰り返す。結束スタッカ４から結束部９へ紙幣が抜き出されても、結束スタッカ４の設定をリセットしない。そして、該種類の紙幣の端数が確定し、扉４６が開いて、紙幣が抜き取られると、結束スタッカ４の設定をリセットするようにしてもよい。また、スタッカの設定のリセットは、一例にすぎず、オペレータが設定のリセットをタッチパネル１７を介して手動で入力するようにしてもよい。
【０２００】
また、以上の説明で列挙した、紙幣の種類を特定するための属性は例示に過ぎず、前記の属性以外の属性を用いて紙幣の種類を特定してもよい。
【０２０１】
紙幣処理装置１００は、入金処理に係る計数結果、紙幣の情報（例えば、記番号情報等）、紙幣のキャプチャデータ及び、紙幣束の情報等を一旦、記憶媒体１３０に記憶しており、所定のタイミングのそれらの各種データを上位装置１０００へ転送している。しかし、紙幣処理装置１００は、図８に示すように、さらに、高速大容量ＲＡＭ１５０を備え、各種データを紙幣の処理中に上位装置１０００へ転送するようにしてもよい。詳しくは、制御部１２０は、識別部３から送られてきた紙幣の各種情報やキャプチャデータを高速大容量ＲＡＭ１５０に保存する。このとき、各種データは、上位装置１０００へ転送可能又は記憶媒体１３０に保存可能なフォーマットに書き換えられる。そして、制御部１２０は、高速大容量ＲＡＭ１５０に保存されたデータを記憶媒体１３０にコピーする。さらに、制御部１２０は、高速大容量ＲＡＭ１５０に保存されたデータを所定のタイミングで（例えば、所定枚数の紙幣のデータが蓄積されるごとに）上位装置１０００へ転送する。つまり、制御部１２０は、紙幣の処理中にリアルタイムで各種データを上位装置１０００へ転送する。前記の説明では、各種データは記憶媒体１３０に保存され、該各種データを上位装置１０００へ転送する際には該各種データを記憶媒体１３０から読み出している。この構成では、各種データを記憶媒体１３０から読み出すのに時間を要するため、紙幣の処理中以外のタイミングでデータ転送を実行する必要がある。しかしながら、各種データをＲＡＭ１５０に貯めておき、該各種データをＲＡＭ１５０から上位装置１０００へ転送させる構成においては、記憶媒体１３０からのデータの読み出しがないため、転送時間を短縮することができる。こうして、高速転送が可能となることによって、紙幣の処理を実行しながらのデータ転送が可能となる。
【産業上の利用可能性】
【０２０２】
以上説明したように、ここに開示された技術は、紙葉類処理装置及び紙葉類処理方法について有用である。
【符号の説明】
【０２０３】
１００    紙幣処理装置（紙葉類処理装置）
２        ホッパ部（取込部）
４Ａ      第１結束スタッカ（集積部）
４Ｂ      第２結束スタッカ（集積部）
４６      扉
９        結束部
１２０    制御部
１７      タッチパネル
Ｂ        紙幣（紙葉類）
【図１】
2016091505.tif 000003
【図２】
2016091505.tif 000004
【図３】
2016091505.tif 000005
【図４】
2016091505.tif 000006
【図５】
2016091505.tif 000007
【図６】
2016091505.tif 000008
【図７】
2016091505.tif 000009
【図８】
2016091505.tif 000010